(57)【要約】【課題】  追記型情報記録媒体において、ロジカルオーバーライトによって追記或いは上書きされた記録データの再利用を可能ならしめる。【解決手段】  追記型情報記録媒体は、記録データを記録するためのユーザデータエリアと、ユーザデータエリアにおけるディフェクト管理又はユーザデータエリアへのロジカルオーバーライトに伴い、ユーザデータエリアの一部のアドレスを代替するためのスペアエリアと、スペアエリアに代替されたユーザデータエリア内の代替元アドレスとスペアエリアの代替先アドレスとの対応関係を示す代替リスト（１２２）と、各代替がディフェクト管理によるものかロジカルオーバーライトによるものかを識別するための識別情報（５００）とを含んでなるディフェクト管理情報（１２０）を記録するためのディフェクト管理エリアとを備える。【選択図】  図６  
2005251242.tif 000002
【特許請求の範囲】
【請求項１】
記録データを記録するためのユーザデータエリアと、
前記ユーザデータエリアにおけるディフェクト管理又は前記ユーザデータエリアへのロジカルオーバーライトに伴い、前記ユーザデータエリアの一部のアドレスを代替するためのスペアエリアと、
前記スペアエリアに代替された前記ユーザデータエリア内の代替元アドレスと前記スペアエリアの代替先アドレスとの対応関係を示す代替リストと、各代替が前記ディフェクト管理によるものか前記ロジカルオーバーライトによるものかを識別するための識別情報とを含んでなるディフェクト管理情報を記録するためのディフェクト管理エリアと
を備えることを特徴とする追記型情報記録媒体。
【請求項２】
前記識別情報は、更に同一の前記代替元アドレスに対する前記記録データのロジカルオーバーライトの回数を示すことを特徴とする請求項１に記載の追記型情報記録媒体。
【請求項３】
前記識別情報は、その値をもって前記同一の前記代替元アドレスに対する前記記録データのロジカルオーバーライトの回数を示し、所定値の時、前記代替先アドレスに記録された記録データが前記ディフェクト管理による退避データであることを示すことを特徴とする請求項２に記載の追記型情報記録媒体。
【請求項４】
前記ディフェクト管理エリアは、一時的ディフェクト管理エリアに加えて又は代えて確定的ディフェクト管理エリアを備えて構成されていることを特徴とする請求項１に記載の追記型情報記録媒体。
【請求項５】
前記ユーザデータエリアのディフェクト管理情報を記録するための確定的ディフェクト管理エリアを含み、前記ユーザデータエリアへの記録及び読取のうち少なくとも一方を制御する情報を記録するための制御情報記録エリアを更に備えていることを特徴とする請求項４に記載の追記型情報記録媒体。
【請求項６】
前記代替元アドレス及び前記代替先アドレスのうち少なくとも一方は、前記ユーザデータエリアにおける絶対的アドレス又は所定の地点を基準とする相対的アドレスによって特定されていることを特徴とする請求項１に記載の追記型情報記録媒体。
【請求項７】
（ｉ）記録データを記録するためのユーザデータエリアと、（ｉｉ）前記ユーザデータエリアにおけるディフェクト管理又は前記ユーザデータエリアへのロジカルオーバーライトに伴い、前記ユーザデータエリアの一部のアドレスを代替するためのスペアエリアと、（ｉｉｉ）前記スペアエリアに代替された前記ユーザデータエリア内の代替元アドレスと前記スペアエリアの代替先アドレスとの対応関係を示す代替リストを含んでなるディフェクト管理情報を記録するためのディフェクト管理エリアとを備えた追記型情報記録媒体に前記記録データを記録するための記録装置であって、
各代替が前記ディフェクト管理によるものか前記ロジカルオーバーライトによるものかを識別するための識別情報を含めて前記ディフェクト管理情報を作成又は更新するディフェクト管理情報作成手段と、
前記記録データ、及び前記作成又は更新されたディフェクト管理情報のうち少なくとも一つを記録する記録手段と
を備えたことを特徴とする記録装置。
【請求項８】
前記ディフェクト管理情報作成手段は、前記識別情報が、更に同一の前記代替元アドレスに対する前記記録データのロジカルオーバーライトの回数を示すように、前記ディフェクト管理情報を作成又は更新することを特徴とする請求項７に記載の記録装置。
【請求項９】
前記ディフェクト管理情報作成手段は、前記識別情報が、その値をもって前記同一の前記代替元アドレスに対する前記記録データのロジカルオーバーライトの回数を示し、所定値の時、前記代替先アドレスに記録された記録データが前記ディフェクト管理による退避データであることを示すように、前記ディフェクト管理情報を作成又は更新することを特徴とする請求項７に記載の記録装置。
【請求項１０】
前記ディフェクト管理情報作成手段によるディフェクト管理情報の作成又は更新が行われたときに、当該ディフェクト管理情報を前記ディフェクト管理エリアに記録するように前記記録手段を制御する第１記録制御手段を更に備えていることを特徴とする請求項７に記載の記録装置。
【請求項１１】
前記ディフェクト管理情報が前記ディフェクト管理エリアに記録されている前記追記型情報記録媒体の当該ディフェクト管理エリアから当該ディフェクト管理情報を読み取り、該読み取られたディフェクト管理情報を前記記憶手段に記憶させるディフェクト管理情報取得手段を更に備え、
前記ディフェクト管理情報作成手段は、前記記録手段により前記記録データを前記ユーザデータエリアに記録するときに前記ディフェクト管理情報取得手段により前記記憶手段に記憶されたディフェクト管理情報を更新し、
前記第１記録制御手段は、当該ディフェクト管理情報の更新が行われたときに、当該ディフェクト管理情報を前記ディフェクト管理エリアに記録するように前記記録手段を制御することを特徴とする請求項１０に記載の記録装置。
【請求項１２】
前記追記型情報記録媒体は、前記ユーザデータエリアのディフェクト管理情報を記録するための確定的ディフェクト管理エリアを含み、前記ユーザデータエリアへの記録及び読取のうち少なくとも一方を制御する情報を記録するための制御情報記録エリアを更に備えており、
前記追記型情報記録媒体に対しファイナライズを行うべき旨の命令を発するファイナライズ命令手段と、
前記ファイナライズ命令手段によりファイナライズを行うべき旨の命令が発せられたときに、前記作成又は更新されたディフェクト管理情報を前記確定的ディフェクト管理エリアに記録するように前記記録手段を制御する第２記録制御手段と
を備えていることを特徴とする請求項７に記載の記録装置。
【請求項１３】
（ｉ）記録データを記録するためのユーザデータエリアと、（ｉｉ）前記ユーザデータエリアにおけるディフェクト管理又は前記ユーザデータエリアへのロジカルオーバーライトに伴い、前記ユーザデータエリアの一部のアドレスを代替するためのスペアエリアと、（ｉｉｉ）前記スペアエリアに代替された前記ユーザデータエリア内の代替元アドレスと前記スペアエリアの代替先アドレスとの対応関係を示す代替リストを含んでなるディフェクト管理情報を記録するためのディフェクト管理エリアとを備えた追記型情報記録媒体に前記記録データを記録するための記録装置における記録方法であって、
各代替が前記ディフェクト管理によるものか前記ロジカルオーバーライトによるものかを識別するための識別情報を含めて前記ディフェクト管理情報を作成又は更新するディフェクト管理情報作成工程と、
前記記録データ、及び前記作成又は更新されたディフェクト管理情報のうち少なくとも一つを記録する記録工程と
を備えたことを特徴とする記録方法。
【請求項１４】
請求項１に記載の追記型情報記録媒体に記録された前記記録データを再生するための再生装置であって、
記憶手段と、
前記ディフェクト管理エリアに記録された前記ディフェクト管理情報を読み取り、該読み取られたディフェクト管理情報を前記記憶手段に記憶させる第１読取手段と、
前記記憶手段に記憶されたディフェクト管理情報に基づいて、前記ユーザデータエリアに記録された記録データ又は前記スペアエリアに記録された記録データを再生する再生手段と
を備えていることを特徴とする再生装置。
【請求項１５】
請求項１に記載の追記型情報記録媒体に記録された前記記録データを再生するための再生装置における再生方法であって、
前記ディフェクト管理エリアに記録された前記ディフェクト管理情報を読み取る第１読取工程と、
前記読み取られたディフェクト管理情報に基づいて、前記ユーザデータエリアに記録された記録データ又は前記スペアエリアに記録された記録データを再生する再生工程と
を備えていることを特徴とする再生方法。
【請求項１６】
請求項７に記載の記録装置に備えられたコンピュータを制御する記録制御用のコンピュータプログラムであって、該コンピュータを、前記ディフェクト管理情報作成手段及び前記記録手段のうち少なくとも一部として機能させることを特徴とするコンピュータプログラム。
【請求項１７】
請求項１４に記載の再生装置に備えられたコンピュータを制御する再生制御用のコンピュータプログラムであって、該コンピュータを、前記第１読取手段及び前記再生手段のうち少なくとも一部として機能させることを特徴とするコンピュータプログラム。
【請求項１８】
記録データを記録するためのユーザデータエリアと、
前記ユーザデータエリアにおけるディフェクト管理又は前記ユーザデータエリアへのロジカルオーバーライトに伴い、前記ユーザデータエリアの一部のアドレスを代替するためのスペアエリアと、
前記スペアエリアに代替された前記ユーザデータエリア内の代替元アドレスと前記スペアエリアの代替先アドレスとの対応関係を示す代替リストと、各代替が前記ディフェクト管理によるものか前記ロジカルオーバーライトによるものかを識別するための識別情報とを含んでなるディフェクト管理情報を記録するためのディフェクト管理エリアと
を備えることを特徴とする制御信号を含むデータ構造。
【発明の詳細な説明】
【技術分野】
【０００１】
本発明は、例えばライトワンス型のＤＶＤ等の追記型の情報記録媒体、このような情報記録媒体を記録或いは再生するためのＤＶＤレコーダ等の情報記録装置及び方法の技術分野に関する。
【背景技術】
【０００２】
光ディスク、磁気ディスク、光磁気ディスク等の高密度記録媒体における記録データの記録及び読取の信頼性を向上させるための技術として、ディフェクト管理がある。即ち、記録媒体上に存在する傷もしくは塵埃、又は記録媒体の劣化等（これらを総じて「ディフェクト」と呼ぶ。）が存在するときには、そのディフェクトが存在する場所に記録すべきデータ又は記録されたデータを、記録媒体上の他の領域（これを「スペアエリア」と呼ぶ。）に記録する。このように、ディフェクトにより記録不全又は読取不全となるおそれがある記録データをスペアエリアに退避させることにより、記録データの記録及び読取の信頼性を向上させることができる（特許文献１参照）。
【０００３】
一般に、ディフェクト管理を行うために、ディフェクトリストを作成する。ディフェクトリストには、記録媒体上に存在するディフェクトの位置を示すアドレス情報（本願では、適宜、「ディフェクト管理による退避元アドレス」と称する）と、ディフェクトが存在する場所に記録すべきであったデータ又は記録されていたデータを退避させたスペアエリアの場所（例えばスペアエリア内の記録位置：本願では、適宜、「ディフェクト管理による退避先アドレス」と称する）を示すアドレス情報とが記録される。ディフェクトリストの作成は、記録媒体をイニシャライズないしフォーマットするときに行われる。また、ディフェクトリストの作成は、記録データを当該記録媒体に記録するときにも行われる。記録データの記録・書換が数度行われるときには、記録データの記録・書換が行われて、ディフェクトが発見されたり、データの退避を行った場合にディフェクトリストの作成又は更新が行われる。記録データを記録媒体に記録するときには、ディフェクトリストを参照する。これにより、ディフェクトの存在する場所を避けながら記録データを記録媒体に記録することができる。一方、記録媒体に記録された記録データを再生するときにも、ディフェクトリストを参照する。
【０００４】
このようにディフェクト管理により、通常の記録領域に記録された記録データと、ディフェクトの存在によりスペアエリアに記録されている記録データとをディフェクトリストに基づいて確実に読み取ることができる。
【０００５】
他方で、記録媒体がいわゆる追記型の情報記録媒体、例えばライトワンス型光ディスクである場合には、物理的な上書き、即ち、書き換えによる記録動作を行うことはできないが、ロジカルオーバーライト（ＬＯＷ：Logical Overwrite）による論理的な上書きによる記録動作を行うことが可能である。ここに、ロジカルオーバーライトとは、上述の如き、ディフェクト管理の仕組みを利用して、記録済みの場所と同じアドレスにデータを記録する場合、この記録済みの場所のアドレスを、代替元アドレスとし、記録されるデータを、代替先アドレスの場所に代替的に記録することである。より具体的には、追記型の情報記録媒体におけるロジカルオーバーライトによって、ディフェクト管理と同様に、ディフェクトリストは作成又は更新される。このディフェクトリストには、記録媒体上に存在する記録済みの位置を示す一つのアドレス情報（本願では、適宜、「ＬＯＷによる代替元アドレス」と称する）と、記録済みの位置に記録すべきであったデータ又は記録されていたデータを代替させたスペアエリア内の記録位置を示す一つのアドレス情報（本願では、適宜、「ＬＯＷによる代替先アドレス」と称する）との組、即ち、ディフェクトリストエントリーが、追加されて記録される。即ち、ＬＯＷによる代替元アドレスの領域は、ディフェクトが存在しないにも関わらず、使用不可にされる。この点がディフェクト管理と異なる。
【０００６】
このようにロジカルオーバーライトにより、ホストコンピュータは、記録時には、挿入された光ディスクが、追記型であるか書換え型であるか否かを判別することなく、書換型の情報記録媒体として記録動作を行うことが可能となる。同様にして、再生時には、ディフェクトリストに基づいて、例えば、スペアエリア内の記録位置を示すＬＯＷによる代替先アドレスの領域に記録されたデータを読み取り可能となる。
【０００７】
【特許文献１】特開平１１−１８５３９０号公報
【発明の開示】
【発明が解決しようとする課題】
【０００８】
しかしながら、単一の追記型の情報記録媒体に対して、上述の如きディフェクト管理とロジカルオーバーライトとの両方の技術を適用すると、ディフェクトリストに記録された、例えば、ユーザデータエリア内等の場所の退避元アドレス又は代替元アドレスは、ディフェクトが存在することを示す退避元アドレスなのか、ロジカルオーバーライトによる代替元アドレスなのかを識別することができないという技術的な問題がある。
【０００９】
従って、仮に、ロジカルオーバーライト（ＬＯＷ）による代替元アドレスであれば、この代替元アドレスの場所には、ディフェクトが存在しないので、この場所に記録された記録データを再度再生することができるにも関わらず、ＬＯＷによる代替元アドレスとして識別することができないために再度再生することができないという技術的な問題がある。
【００１０】
そこで本発明は、例えば上記問題点に鑑みなされたものであり、ロジカルオーバーライトによって追記或いは上書きされた記録データの再利用を可能ならしめる追記型の情報記録媒体、その情報記録媒体に記録データを記録する記録装置及び記録方法、その情報記録媒体に記録された記録データを再生する再生装置及び再生方法、該記録装置又は再生装置に用いられるコンピュータプログラム、並びに記録又は再生制御用の制御信号を含むデータ構造を提供することを課題とする。
【課題を解決するための手段】
【００１１】
本発明の請求項１に記載の追記型情報記録媒体は上記課題を解決するために、記録データを記録するためのユーザデータエリアと、前記ユーザデータエリアにおけるディフェクト管理又は前記ユーザデータエリアへのロジカルオーバーライトに伴い、前記ユーザデータエリアの一部のアドレスを代替するためのスペアエリアと、前記スペアエリアに代替された前記ユーザデータエリア内の代替元アドレスと前記スペアエリアの代替先アドレスとの対応関係を示す代替リストと、各代替が前記ディフェクト管理によるものか前記ロジカルオーバーライトによるものかを識別するための識別情報とを含んでなるディフェクト管理情報を記録するためのディフェクト管理エリアとを備える。
【００１２】
本発明の請求項７に記載の記録装置は上記課題を解決するために、（ｉ）記録データを記録するためのユーザデータエリアと、（ｉｉ）前記ユーザデータエリアにおけるディフェクト管理又は前記ユーザデータエリアへのロジカルオーバーライトに伴い、前記ユーザデータエリアの一部のアドレスを代替するためのスペアエリアと、（ｉｉｉ）前記スペアエリアに代替された前記ユーザデータエリア内の代替元アドレスと前記スペアエリアの代替先アドレスとの対応関係を示す代替リストを含んでなるディフェクト管理情報を記録するためのディフェクト管理エリアとを備えた追記型情報記録媒体に前記記録データを記録するための記録装置であって、各代替が前記ディフェクト管理によるものか前記ロジカルオーバーライトによるものかを識別するための識別情報を含めて前記ディフェクト管理情報を作成又は更新するディフェクト管理情報作成手段と、前記記録データ、及び前記作成又は更新されたディフェクト管理情報のうち少なくとも一つを記録する記録手段とを備える。
【００１３】
本発明の請求項１３に記載の記録方法は上記課題を解決するために、（ｉ）記録データを記録するためのユーザデータエリアと、（ｉｉ）前記ユーザデータエリアにおけるディフェクト管理又は前記ユーザデータエリアへのロジカルオーバーライトに伴い、前記ユーザデータエリアの一部のアドレスを代替するためのスペアエリアと、（ｉｉｉ）前記スペアエリアに代替された前記ユーザデータエリア内の代替元アドレスと前記スペアエリアの代替先アドレスとの対応関係を示す代替リストを含んでなるディフェクト管理情報を記録するためのディフェクト管理エリアとを備えた追記型情報記録媒体に前記記録データを記録するための記録装置における記録方法であって、各代替が前記ディフェクト管理によるものか前記ロジカルオーバーライトによるものかを識別するための識別情報を含めて前記ディフェクト管理情報を作成又は更新するディフェクト管理情報作成工程と、前記記録データ、及び前記作成又は更新されたディフェクト管理情報のうち少なくとも一つを記録する記録工程とを備える。
【００１４】
本発明の請求項１４に記載の再生装置は上記課題を解決するために、請求項１に記載の追記型情報記録媒体に記録された前記記録データを再生するための再生装置であって、記憶手段と、前記ディフェクト管理エリアに記録された前記ディフェクト管理情報を読み取り、該読み取られたディフェクト管理情報を前記記憶手段に記憶させる第１読取手段と、前記記憶手段に記憶されたディフェクト管理情報に基づいて、前記ユーザデータエリアに記録された記録データ又は前記スペアエリアに記録された記録データを再生する再生手段とを備えている。
【００１５】
本発明の請求項１５に記載の再生方法は上記課題を解決するために、請求項１に記載の追記型情報記録媒体に記録された前記記録データを再生するための再生装置における再生方法であって、前記ディフェクト管理エリアに記録された前記ディフェクト管理情報を読み取る第１読取工程と、前記読み取られたディフェクト管理情報に基づいて、前記ユーザデータエリアに記録された記録データ又は前記スペアエリアに記録された記録データを再生する再生工程とを備えている。
【００１６】
本発明の請求項１６に記載のコンピュータプログラムは上記課題を解決するために、請求項７に記載の記録装置に備えられたコンピュータを制御する記録制御用のコンピュータプログラムであって、該コンピュータを、前記ディフェクト管理情報作成手段及び前記記録手段のうち少なくとも一部として機能させる。
【００１７】
本発明の請求項１７に記載のコンピュータプログラムは上記課題を解決するために、請求項１４に記載の再生装置に備えられたコンピュータを制御する再生制御用のコンピュータプログラムであって、該コンピュータを、前記第１読取手段及び前記再生手段のうち少なくとも一部として機能させる。
【００１８】
本発明の請求項１８に記載の制御信号を含むデータ構造は上記課題を解決するために、記録データを記録するためのユーザデータエリアと、前記ユーザデータエリアにおけるディフェクト管理又は前記ユーザデータエリアへのロジカルオーバーライトに伴い、前記ユーザデータエリアの一部のアドレスを代替するためのスペアエリアと、前記スペアエリアに代替された前記ユーザデータエリア内の代替元アドレスと前記スペアエリアの代替先アドレスとの対応関係を示す代替リストと、各代替が前記ディフェクト管理によるものか前記ロジカルオーバーライトによるものかを識別するための識別情報とを含んでなるディフェクト管理情報を記録するためのディフェクト管理エリアとを備える。
【００１９】
本発明の作用及び他の利得は次に説明する実施するための最良の形態から明らかにされよう。
【発明を実施するための最良の形態】
【００２０】
（追記型情報記録媒体に係る実施形態）
以下、本発明の実施形態に係る追記型情報記録媒体について説明する。
【００２１】
本発明の追記型情報記録媒体に係る実施形態は、記録データを記録するためのユーザデータエリアと、前記ユーザデータエリアにおけるディフェクト管理又は前記ユーザデータエリアへのロジカルオーバーライトに伴い、前記ユーザデータエリアの一部のアドレスを代替するためのスペアエリアと、前記スペアエリアに代替された前記ユーザデータエリア内の代替元アドレスと前記スペアエリアの代替先アドレスとの対応関係を示す代替リストと、各代替が前記ディフェクト管理によるものか前記ロジカルオーバーライトによるものかを識別するための識別情報とを含んでなるディフェクト管理情報を記録するためのディフェクト管理エリアとを備える。
【００２２】
本発明の追記型情報記録媒体に係る実施形態によれば、主として再生又は実行の対象となるデータであり、例えば、画像データ、音声データ、文書データ、コンテンツデータ、コンピュータプログラム等の一連のコンテンツを含んでなる記録データを、ユーザデータエリアに記録することが可能である。そして、例えば、実施形態に係る追記型情報記録媒体の属性・種類などを示す情報、記録データのアドレス管理をするための情報、ドライブ装置の記録動作・読取動作を制御するための情報を、例えば後述の制御情報記録エリアに記録することで、ユーザデータエリアに記録された記録データの記録及び再生を適切に実行することが可能である。
【００２３】
ディフェクト管理エリアには、係るユーザデータエリアのディフェクト管理情報が記録される。ここに、本発明における「ディフェクト管理情報」とは、ロジカルオーバーライト及びディフェクト管理による代替記録動作に用いられる情報であり、代替元アドレス（退避元アドレス）と代替先アドレス（退避先アドレス）との対応関係を示す代替リスト（ディフェクトリスト）を含んでなる。本発明に係る「アドレス」とは、具体的には、ＥＣＣブロック単位又はセクタ単位によって特定可能な位置情報を意味する。そして例えば、ディフェクト管理エリアは、実施形態に係る追記型情報記録媒体が例えばファイナライズされるまでの間、ディフェクト管理情報を記録するための領域である。従って、例えばファイナライズされるまでは、当該追記型情報記録媒体を再生する場合には、ディフェクト管理エリアよりディフェクト管理情報を読み取ることで、ディフェクト管理を行う。
【００２４】
特に、本実施形態では、ディフェクト管理情報には、ディフェクト管理による退避元アドレスであるのか、又は、ロジカルオーバーライトによる代替元アドレスであるのかを識別する、例えば、１ビットのデータ量のフラグ等の識別情報を、代替元アドレスと代替先アドレスとの組に対応させて含む。従って、後述される再生装置によって、ロジカルオーバーライトによる代替元アドレスを識別することが可能となり、このロジカルオーバーライトによって代替元アドレスに記録されたデータを再度再生することが可能となる。具体的には、ロジカルオーバーライトによる代替記録動作において、例えば、代替元アドレスのＥＣＣブロックはデータが記録済み状態であり、ディフェクトは存在しない。よって、代替元アドレスのＥＣＣブロックに記録済みのデータを、後述される再生装置によって、再度再生することが可能である。更に、時系列に沿った複数のディフェクト管理情報における、代替元アドレス、代替先アドレス及び識別情報の変化が把握されることで、特定のＥＣＣブロックに記録されていたデータを数世代前に遡って、適切に再度再生することが可能である。
【００２５】
以上より、記録データのバージョン管理を行うようなアプリケーションで、履歴又は世代を時間的に遡って古い旧バージョンのファイル等の記録データを再度再生する必要がある場合などに特定のＥＣＣブロックを再利用することが可能である。
【００２６】
本発明の追記型情報記録媒体に係る実施形態の一態様では、前記識別情報は、更に同一の前記代替元アドレスに対する前記記録データのロジカルオーバーライトの回数を示す。
【００２７】
この態様によれば、後述される再生装置によって、時系列に沿った複数のディフェクト管理情報における、代替元アドレス、代替先アドレス及び識別情報の変化が、より的確且つ迅速に把握されることで、例えば、特定のＥＣＣブロックに記録されていたデータを数世代前に遡って、適切に再度再生することが可能である。
【００２８】
この態様では、前記識別情報は、その値をもって前記同一の前記代替元アドレスに対する前記記録データのロジカルオーバーライトの回数を示し、所定値（“００ｈ”）の時、前記代替先アドレスに記録された記録データが前記ディフェクト管理による退避データであることを示すように構成してもよい。
【００２９】
このように構成すれば、識別情報は、例えば、“００ｈ”等の所定値の時、代替先アドレスに記録された記録データがディフェクト管理による退避データであることを示す。ここに、退避データとは、ユーザデータエリアにディフェクトが存在するときに、そのディフェクトが存在する場所に記録すべきであった記録データ又はその場所に記録されていた記録データのことである。
【００３０】
よって、後述される再生装置によって、代替先アドレスに記録された記録データがディフェクト管理によるものであることがより的確に、且つ迅速に把握されることが可能である。
【００３１】
本発明の追記型情報記録媒体に係る実施形態の他の態様では、前記ディフェクト管理エリアは、一時的ディフェクト管理エリアに加えて又は代えて確定的ディフェクト管理エリアを備えて構成されている。
【００３２】
この態様によれば、ディフェクト管理情報を一時的ディフェクト管理エリア、或いは、確定的ディフェクト管理エリアに複数回反復して記録するように構成してもよい。ここに、一時的ディフェクト管理エリアとは、本実施形態に係る情報記録媒体が例えばファイナライズされるまでの間、ディフェクト管理情報を記録するための領域である。また、確定的ディフェクト管理エリアとは、情報記録媒体がファイナライズされ、これ以上ディフェクト管理情報が更新されず、ディフェクト管理情報の内容が確定されたときに、そのディフェクト管理情報を記録するための領域である。これにより、ディフェクト管理情報を追記型情報記録媒体上に確実に保持することが可能となる。
【００３３】
加えて、一時的ディフェクト管理エリアの広さを設定し、この設定された一時的ディフェクト管理エリアの広さに応じてユーザデータエリアの位置を設定するように構成してもよい。例えば、一時的ディフェクト管理エリアを広く設定すれば、一時的ディフェクト管理エリア内により多くのディフェクト管理情報を記録することができる。即ち、この場合には、ディフェクト管理情報を並列的に何度も記録可能となるため、更新の回数が多数に及んでも、各ディフェクト管理情報を記録保持することが可能となる。これによりディフェクトの多発しやすい悪い環境で情報記録媒体を使用する場合でも、記録データの記録・再生の信頼性を維持し、又は高めることができる。更に、例えば同一内容のディフェクト管理情報を反復的に記録する個数を増やすことができ、ディフェクト管理情報の記録保持の確実性を高めることもできる。一方、一時的ディフェクト管理エリアを狭く設定すれば、その分、ユーザデータエリアを広く確保することができるので、情報記録媒体の実質的な記録容量を増やすことができる。一時的ディフェクト管理エリアの範囲設定をユーザに委ねることとすれば、ユーザによる情報記録媒体の利用態様に応じて一時的ディフェクト管理エリアを適切に設定することが可能となる。
【００３４】
この態様では、前記ユーザデータエリアのディフェクト管理情報を記録するための確定的ディフェクト管理エリアを含み、前記ユーザデータエリアへの記録及び読取のうち少なくとも一方を制御する情報を記録するための制御情報記録エリアを更に備えているように構成してもよい。
【００３５】
このように構成すれば、本実施形態に係る追記型情報記録媒体と、例えば書換可能型の情報記録媒体との互換性を保持することが可能となる。
【００３６】
例えばファイナライズされた後に、当該情報記録媒体を再生する場合には、確定的ディフェクト管理エリアよりディフェクト管理情報を読み取ることで、ディフェクト管理が行われる。加えて、確定的ディフェクト管理エリアは、制御情報記録エリア内に配置されている。一般に普及している、ディフェクトリストを記録装置が管理する書換型の情報記録媒体はディフェクト管理エリアを制御情報記録エリア内に配置しているものが多い。また、これから開発される書換型の情報記録媒体もディフェクト管理エリアは制御情報エリア内に配置されるものが多いことが予想される。従って、本実施形態では、このような一般の書換型記録媒体と同様の構造を採用しているため、同じ規格の書換型の情報記録媒体との間で互換性をとることができる。その結果、再生専用や書換可能型の各種再生装置において、本実施形態に係る情報記録媒体を適切に再生することが可能となる。従って、公衆への普及の容易性という点において極めて大きな利点を有することとなる。
【００３７】
本発明の追記型情報記録媒体に係る実施形態の他の態様では、前記代替元アドレス及び前記代替先アドレスのうち少なくとも一方は、前記ユーザデータエリアにおける絶対的アドレス又は所定の地点を基準とする相対的アドレスによって特定されている。
【００３８】
この態様によれば、代替元アドレス及び代替先アドレスが、ユーザデータエリアにおける物理アドレス等の絶対的アドレスによって特定されることで、例えば後述の記録再生装置における記録及び再生動作の際に、アドレス演算に係る処理負担を軽減できる。従って、記録及び再生動作に係る処理パフォーマンスの向上（例えば高速化等）を図ることが可能となる。
【００３９】
他方、代替元アドレス及び代替先アドレスが、ユーザデータエリアにおける所定の地点を基準とする相対的アドレスによって特定されることで、ディフェクト管理情報のデータ量を削減することが可能となる。
【００４０】
（記録装置及び方法の実施形態）
本発明の記録装置に係る実施形態は、（ｉ）記録データを記録するためのユーザデータエリアと、（ｉｉ）前記ユーザデータエリアにおけるディフェクト管理又は前記ユーザデータエリアへのロジカルオーバーライトに伴い、前記ユーザデータエリアの一部のアドレスを代替するためのスペアエリアと、（ｉｉｉ）前記スペアエリアに代替された前記ユーザデータエリア内の代替元アドレスと前記スペアエリアの代替先アドレスとの対応関係を示す代替リストを含んでなるディフェクト管理情報を記録するためのディフェクト管理エリアとを備えた追記型情報記録媒体に前記記録データを記録するための記録装置であって、各代替が前記ディフェクト管理によるものか前記ロジカルオーバーライトによるものかを識別するための識別情報を含めて前記ディフェクト管理情報を作成又は更新するディフェクト管理情報作成手段と、前記記録データ、及び前記作成又は更新されたディフェクト管理情報のうち少なくとも一つを記録する記録手段とを備える。
【００４１】
本発明の記録装置に係る実施形態によれば、例えば光ピックアップとそれを制御するためのコントローラ等を含んでなる記録手段を用いて、上述した本発明の情報記録媒体に係る実施形態に適切に記録データを記録することが可能となる。
【００４２】
具体的には、先ず記録手段が、情報記録媒体のユーザデータエリア内に記録データを記録する。一方、本実施形態に係る記録装置において、情報記録媒体上に存在するディフェクトの位置等を示す前述したディフェクトリスト又は前述した代替リストを含むディフェクト管理情報がディフェクト管理情報作成手段により作成される。該作成又は取得されたディフェクト管理情報は、例えばＲＡＭ等のメモリを含んでなる記憶手段に記憶する用に構成してもよい。
【００４３】
このとき、本実施形態では、ディフェクト管理情報作成手段は、ディフェクト管理による退避元アドレスであるのか、又は、ロジカルオーバーライトによる代替元アドレスであるのかを識別する、例えば、１ビットのデータ量のフラグ等の識別情報を、代替元アドレスと代替先アドレスとの組に対応させて含むようにディフェクト管理情報を作成する。
【００４４】
そして、記録手段は、このようにして作成されたディフェクト管理情報を情報記録媒体のディフェクト管理エリアに記録する。記録手段がディフェクト管理情報をディフェクト管理エリアに記録する時期は、様々あり得るが、例えば、情報記録媒体がイニシャライズないしフォーマットされた直後、情報記録媒体に一連の記録データが記録された直後などが考えられる。加えて、記録手段は、代替された記録データをスペアエリアに記録する。
【００４５】
以上の結果、本実施形態に係る記録装置によれば、上述した本実施形態に係る情報記録媒体に適切に記録データを記録できると共に、当該情報記録媒体が有する各種利益を享受できる。即ち、ロジカルオーバーライトによる代替元アドレスを識別することが可能となり、このロジカルオーバーライトによる代替元アドレスに記録されたデータを再度再生することが可能となる。
【００４６】
尚、上述した本発明の情報記録媒体に係る実施形態における各種態様に対応して、本発明の記録装置に係る実施形態も各種態様を採ることが可能である。
【００４７】
又、ディフェクト管理情報は、情報記録媒体もしくはその他の通信路を介して取得されるように構成してもよい。この場合、ディフェクト管理情報作成手段は、ディフェクト管理情報を作成又は更新することに代えて、当該ディフェクト管理情報を当該情報記録媒体若しくはその他の通信路を介して取得可能に構成されていることが好ましい。
【００４８】
又、情報記録媒体が光学式の記録媒体である場合には、データないし情報を情報記録媒体に直接的に記録する手段として光ピックアップが好適であるが、情報記録媒体が磁気式、光磁気式、誘電率の変化を利用したものなどの他の方式のものである場合には、その情報記録媒体の方式に適したピックアップ、ヘッド又はプローブ等を用いればよい。
【００４９】
本発明の記録装置に係る実施形態の一の態様では、前記ディフェクト管理情報作成手段は、前記識別情報が、更に同一の前記代替元アドレスに対する前記記録データのロジカルオーバーライトの回数を示すように、前記ディフェクト管理情報を作成又は更新する。
【００５０】
この態様によれば、ディフェクト管理情報作成手段は、ディフェクト管理による退避元アドレスであるのか、又は、ロジカルオーバーライトによる代替元アドレスであるのかを識別すると共にロジカルオーバーライトの回数を示す識別情報を、代替元アドレスと代替先アドレスとの組に対応させて含むようにディフェクト管理情報を作成する。
【００５１】
よって、後述される再生装置によって、時系列に沿った複数のディフェクト管理情報における、代替元アドレス、代替先アドレス及び識別情報の変化が、より的確且つ迅速に把握されることで、例えば、特定のＥＣＣブロックに記録されていたデータを数世代前に遡って、適切に再度再生することが可能である。
【００５２】
本発明の記録装置に係る実施形態の他の態様では、前記ディフェクト管理情報作成手段は、前記識別情報が、その値をもって前記同一の前記代替元アドレスに対する前記記録データのロジカルオーバーライトの回数を示し、所定値（“００ｈ”）の時、前記代替先アドレスに記録された記録データが前記ディフェクト管理による退避データであることを示すように、前記ディフェクト管理情報を作成又は更新する。
【００５３】
この態様によれば、ディフェクト管理情報作成手段は、ディフェクト管理による退避元アドレスであるのか、又は、ロジカルオーバーライトによる代替元アドレスであるのかを識別し、ロジカルオーバーライトの回数を示すと共に、所定値の時、代替先アドレスに記録された記録データがディフェクト管理による退避データであることを示す識別情報を、代替元アドレスと代替先アドレスとの組に対応させて含むようにディフェクト管理情報を作成する。
【００５４】
よって、後述される再生装置によって、代替先アドレスに記録された記録データがディフェクト管理によるものであることがより的確に、且つ迅速に把握されることが可能である。
【００５５】
本発明の記録装置に係る実施形態の他の態様では、前記ディフェクト管理情報作成手段によるディフェクト管理情報の作成又は更新が行われたときに、当該ディフェクト管理情報を前記ディフェクト管理エリアに記録するように前記記録手段を制御する第１記録制御手段を更に備えている。
【００５６】
この態様によれば、記録時においてユーザデータエリアに存在するディフェクトをディフェクト管理情報に反映することが可能となる。より具体的には、例えば、記録データのユーザデータエリアへの記録処理を行うとき、記録データを所定のブロックごとに記録し、１ブロックを記録する度にベリファイを行う。「ベリファイ」とは、記録したデータに誤りがないか否かをチェックする誤り検出動作等を示すものである。ディフェクト管理情報作成手段は、例えばこのベリファイの結果を利用して、ディフェクト管理情報を作成又は更新することが好ましい。そして、当該ディフェクト管理情報を例えば記憶手段に記憶させるように構成してもよい。このように記録データの記録時にディフェクト管理情報を作成又は更新することができ、記録時においてユーザデータエリアに存在するディフェクトをディフェクト管理情報に反映することができる。
【００５７】
ディフェクト管理情報作成手段によるディフェクト管理情報の作成又は更新が行われたときに、第１記録制御手段は、当該ディフェクト管理情報をディフェクト管理エリアに記録するように記録手段を制御する。第１記録制御手段がディフェクト管理情報をディフェクト管理エリアに記録するように記録手段を制御するタイミングは、ディフェクト管理情報作成手段によりディフェクト管理情報の作成が行われている途中でも、ディフェクト管理情報の作成が完了した直後でも、更にはディフェクト管理情報の作成が完了してからしばらく時間が経過した後でもよい。
【００５８】
これにより、記録時においてユーザデータエリアに存在するディフェクトをディフェクト管理情報に反映することができ、このディフェクト管理情報をディフェクト管理エリアに記録し、これを保持することができる。
【００５９】
本発明の記録装置に係る実施形態の他の態様では、前記ディフェクト管理情報が前記ディフェクト管理エリアに記録されている前記追記型情報記録媒体の当該ディフェクト管理エリアから当該ディフェクト管理情報を読み取り、該読み取られたディフェクト管理情報を前記記憶手段に記憶させるディフェクト管理情報取得手段を更に備え、前記ディフェクト管理情報作成手段は、前記記録手段により前記記録データを前記ユーザデータエリアに記録するときに前記ディフェクト管理情報取得手段により前記記憶手段に記憶されたディフェクト管理情報を更新し、前記第１記録制御手段は、当該ディフェクト管理情報の更新が行われたときに、当該ディフェクト管理情報を前記ディフェクト管理エリアに記録するように前記記録手段を制御する。
【００６０】
この態様によれば、ユーザデータエリア上に形成された新たなディフェクトを、既にディフェクト管理エリア中に記録されているディフェクト管理情報に反映することが可能となる。
【００６１】
より具体的には、例えば本実施形態に係る記録装置に装着した追記型情報記録媒体のディフェクト管理エリアにディフェクト管理情報が既に記録されているときには、ディフェクト管理情報取得手段は、そのディフェクト管理情報をディフェクト管理エリアから読み取る。そして、当該ディフェクト管理情報を例えば記憶手段に記録させる。そして、ディフェクト管理情報作成手段は、記録手段により記録データをユーザデータエリアに記録するときにディフェクト管理情報取得手段により記憶手段に記憶されたディフェクト管理情報を更新する。そして、第１記録制御手段は、当該ディフェクト管理情報の更新が行われたときに、当該ディフェクト管理情報をディフェクト管理エリアに記録するように前記記録手段を制御する。
【００６２】
これにより、過去にディフェクト管理エリアに記録保持されたディフェクト管理情報に基づいて、これを更新し、更新したディフェクト管理情報をディフェクト管理エリアに記録し、これを保持することができる。これにより、ユーザデータエリア上に形成された新たなディフェクトをディフェクト管理情報に反映し、これを当該追記型情報記録媒体のディフェクト管理エリアに保持することができる。
【００６３】
尚、本実施形態に係る追記型情報記録媒体をイニシャライズ又はフォーマットするとき、ディフェクト管理情報作成手段は、記録データが未記録の状態である追記型情報記録媒体について、ディフェクト管理情報を作成するように構成してもよい。そしてこの場合、第１記録制御手段は、ディフェクト管理情報作成手段によるディフェクト管理情報の作成が行われたときに、当該ディフェクト管理情報をディフェクト管理エリアに記録するように記録手段を制御可能に構成されていることが好ましい。
【００６４】
これにより、追記型情報記録媒体のイニシャライズ又はフォーマット時に作成されたディフェクト管理情報をディフェクト管理エリアに記録し、これを保持することができる。尚、「イニシャライズ又はフォーマット」とは、例えば追記型情報記録媒体に対して行う初期動作（例えば、初期エラーチェックやデータ全消去等）を示す。
【００６５】
加えて、上述のディフェクト管理情報作成手段は、ユーザデータエリアのディフェクトを検出するディフェクト検出手段と、ユーザデータエリアのディフェクトに対応する代替記録領域を確保する代替記録領域確保手段とを備えるように構成してもよい。
【００６６】
本発明の記録装置に係る実施形態の他の態様では、前記追記型情報記録媒体は、前記ユーザデータエリアのディフェクト管理情報を記録するための確定的ディフェクト管理エリアを含み、前記ユーザデータエリアへの記録及び読取のうち少なくとも一方を制御する情報を記録するための制御情報記録エリアを更に備えており、前記追記型情報記録媒体に対しファイナライズを行うべき旨の命令を発するファイナライズ命令手段と、前記ファイナライズ命令手段によりファイナライズを行うべき旨の命令が発せられたときに、前記作成又は更新されたディフェクト管理情報を前記確定的ディフェクト管理エリアに記録するように前記記録手段を制御する第２記録制御手段とを備えている。
【００６７】
この態様によれば、ファイナライズのときに、ディフェクト管理情報を確定的ディフェクト管理エリアに記録することで、当該追記型情報記録媒体と書換可能型の情報記録媒体との互換性が図ることが可能となる。ここに、本発明に係る「ファイナライズ」とは、情報記録媒体上に記録されたデータのアドレス情報や制御情報等を整理し、汎用性のある情報記録媒体に仕上げる動作全般を含んだ趣旨である。例えば、情報記録媒体をファイナライズすることで、例えば追記型の情報記録媒体を、再生専用の再生装置や他の情報記録媒体に対応した各種再生装置において再生することが可能となる。
【００６８】
より具体的には、例えば、ユーザが追記型情報記録媒体に記録された記録データを例えば書換型の情報記録媒体用の再生装置又は再生専用型の情報記録媒体用の再生装置で再生することを望むときには、ユーザは本実施形態に係る記録装置に対してファイナライズを実行すべき旨の指示を入力する。これに応じて、ファイナライズ命令手段は、現在、記録装置に装着されている追記型情報記録媒体に対してファイナライズを行うべき旨の命令を発する。また、ユーザデータエリアが記録データで充たされ、これ以上記録データを記録することが好ましくないと記録装置が判断したときには、当該記録装置が自動的にファイナライズを行う構成としてもよい。このような構成を採用した場合には、ファイナライズ命令手段は、記録装置の係る判断に応じて、追記型情報記録媒体に対してファイナライズを行うべき旨の命令を発する。
【００６９】
そして、第２記録制御手段は、ファイナライズ命令手段によりファイナライズを行うべき旨の命令が発せられたときに、記憶手段に記憶されたディフェクト管理情報を確定的ディフェクト管理エリアに記録するように記録手段を制御する。そして、記録手段は、記憶手段に記録されたディフェクト管理情報を追記型情報記録媒体の確定的ディフェクト管理エリアに記録する。この結果、追記型情報記録媒体がファイナライズされた後の追記型情報記録媒体の確定的ディフェクト管理エリアには、ディフェクト管理情報が記録されることとなる。
【００７０】
これにより、当該追記型情報記録媒体と書換型情報記録媒体との互換性を図ることができる。ファイナライズは、ユーザが記録データの記録が完了したと思ったときに行われる場合が多いので、ファイナライズの機会を利用して、ディフェクト管理情報を確定的ディフェクト管理エリアに記録することにより、ユーザの意思に合致したタイミングで、追記型情報記録媒体と書換型の情報記録媒体等との互換性を確立させることができる。
【００７１】
尚、ファイナライズ命令手段は、イジェクト命令に応じてファイナライズを行うべき旨の命令を発するように構成してもよい。これによっても、ユーザの意思に合致したタイミングで、追記型情報記録媒体と書換型情報記録媒体との互換性を確立させることができる。
【００７２】
又、記録手段は、ディフェクト管理情報を確定的ディフェクト管理エリアに複数回反復して記録するように構成してもよい。加えて、記録手段は、ディフェクト管理情報を、追記型情報記録媒体上の複数箇所に存在する複数の確定的ディフェクト管理エリアに、夫々重複的に記録するように構成してもよい。
【００７３】
本発明の記録方法に係る実施形態は、（ｉ）記録データを記録するためのユーザデータエリアと、（ｉｉ）前記ユーザデータエリアにおけるディフェクト管理又は前記ユーザデータエリアへのロジカルオーバーライトに伴い、前記ユーザデータエリアの一部のアドレスを代替するためのスペアエリアと、（ｉｉｉ）前記スペアエリアに代替された前記ユーザデータエリア内の代替元アドレスと前記スペアエリアの代替先アドレスとの対応関係を示す代替リストを含んでなるディフェクト管理情報を記録するためのディフェクト管理エリアとを備えた追記型情報記録媒体に前記記録データを記録するための記録装置における記録方法であって、各代替が前記ディフェクト管理によるものか前記ロジカルオーバーライトによるものかを識別するための識別情報を含めて前記ディフェクト管理情報を作成又は更新するディフェクト管理情報作成工程と、前記記録データ、及び前記作成又は更新されたディフェクト管理情報のうち少なくとも一つを記録する記録工程とを備える。
【００７４】
本発明の記録方法に係る実施形態によれば、上述した本発明の記録装置と同様に、本発明の情報記録媒体に係る実施形態（但し、その各種態様を含む）に対して、適切に記録データを記録することが可能となる。
【００７５】
尚、上述した本発明の記録装置（或いは、情報記録媒体）に係る実施形態の各種態様に対応して、本発明の記録方法に係る実施形態も各種態様を採ることが可能である。
【００７６】
（再生装置及び方法の実施形態）
本発明の再生装置に係る実施形態は、上述した本発明の追記型情報記録媒体（但し、その各種態様を含む）に記録された前記記録データを再生するための再生装置であって、記憶手段と、前記ディフェクト管理エリアに記録された前記ディフェクト管理情報を読み取り、該読み取られたディフェクト管理情報を前記記憶手段に記憶させる第１読取手段と、前記記憶手段に記憶されたディフェクト管理情報に基づいて、前記ユーザデータエリアに記録された記録データ又は前記スペアエリアに記録された記録データを再生する再生手段とを備えている。
【００７７】
本発明の再生装置に係る実施形態によれば、例えば光ピックアップやそれを制御するためのコントローラ等を含んでなる第１読取手段と、画像データをディスプレイに表示することが可能な画像信号に変換するデコーダ等を含んでなる再生手段とを用いて、上述した本発明の追記型情報記録媒体に係る実施形態に記録されている記録データを適切に再生することが可能となる。
【００７８】
具体的には、先ず第１読取手段は、ディフェクト管理エリアに記録されたディフェクト管理情報を読み取る。そして、当該ディフェクト管理情報を例えばメモリ等の記憶手段に記憶させるように構成してもよい。記録時において、記録データは、ディフェクト管理及びロジカルオーバーライトによる代替記録動作によって、情報記録媒体のユーザデータエリアに記録されている。このため、このようにして記録された記録データを再生するためには、代替先アドレスを把握する必要がある。そこで、再生手段は、記憶手段に記憶されたディフェクト管理情報に基づいて、ユーザデータエリアに存在する代替元アドレスを把握し、かつ、代替元アドレスを避けるようにして記録データの記録された代替先アドレスを認識してユーザデータエリアに記録された記録データ、或いはスペアエリアに記録された記録データを再生する。
【００７９】
以上の結果、本発明の再生装置に係る実施形態によれば、上述した本発明の追記型情報記録媒体に係る実施形態を適切に再生することが可能となる。
【００８０】
尚、上述した本発明の情報記録媒体に係る実施形態の各種態様に対応して、本発明の再生装置に係る実施形態も各種態様を採ることが可能である。
【００８１】
本発明の再生方法に係る実施形態は、上述した本発明の情報記録媒体に係る実施形態（但し、その各種態様を含む）に記録された前記記録データを再生するための再生装置における再生方法であって、前記ディフェクト管理エリアに記録された前記ディフェクト管理情報を読み取る第１読取工程と、前記読み取られたディフェクト管理情報に基づいて、前記ユーザデータエリアに記録された記録データ又は前記スペアエリアに記録された記録データを再生する再生工程とを備えている。
【００８２】
本発明の再生方法に係る実施形態によれば、上述した本発明の再生装置と同様に、本発明の情報記録媒体に係る実施形態（但し、その各種態様を含む）を適切に再生することが可能となる。
【００８３】
尚、上述した本発明の再生装置に係る実施形態の各種態様に対応して、本発明の再生方法に係る実施形態も各種態様を採ることが可能である。
【００８４】
（コンピュータプログラムの実施形態）
本発明の記録制御用のコンピュータプログラムは、上述した本発明の記録装置に係る実施形態（但し、その各種態様を含む）に備えられたコンピュータを制御する記録制御用のコンピュータプログラムであって、該コンピュータを、前記ディフェクト管理情報作成手段及び記録手段のうち少なくとも一部として機能させる。
【００８５】
本発明の記録制御用のコンピュータプログラムに係る実施形態によれば、当該コンピュータプログラムを格納するＲＯＭ、ＣＤ−ＲＯＭ、ＤＶＤ−ＲＯＭ、ハードディスク等の情報記録媒体から、当該コンピュータプログラムをコンピュータに読み込んで実行させれば、或いは、当該コンピュータプログラムを、通信手段を介してコンピュータにダウンロードさせた後に実行させれば、上述した本発明の記録装置に係る実施形態を比較的簡単に実現できる。
【００８６】
尚、上述した本発明の情報記録媒体に係る実施形態における各種態様に対応して、本発明の記録制御用のコンピュータプログラムに係る実施形態も各種態様を採ることが可能である。
【００８７】
本発明の再生制御用のコンピュータプログラムは、上述した本発明の再生装置に係る実施形態（但し、その各種態様を含む）に備えられたコンピュータを制御する再生制御用のコンピュータプログラムであって、該コンピュータを、前記第１読取手段及び前記再生手段のうち少なくとも一部として機能させる。
【００８８】
本発明の再生制御用のコンピュータプログラムに係る実施形態によれば、当該コンピュータプログラムを格納するＲＯＭ、ＣＤ−ＲＯＭ、ＤＶＤ−ＲＯＭ、ハードディスク等の情報記録媒体から、当該コンピュータプログラムをコンピュータに読み込んで実行させれば、或いは、当該コンピュータプログラムを、通信手段を介してコンピュータにダウンロードさせた後に実行させれば、上述した本発明の再生装置に係る実施形態を比較的簡単に実現できる。
【００８９】
尚、上述した本発明の情報記録媒体に係る実施形態における各種態様に対応して、本発明の再生制御用のコンピュータプログラムに係る実施形態も各種態様を採ることが可能である。
【００９０】
（制御信号を含むデータ構造に係る実施形態）
本発明の制御信号を含むデータ構造に係る実施形態は、記録データを記録するためのユーザデータエリアと、前記ユーザデータエリアにおけるディフェクト管理又は前記ユーザデータエリアへのロジカルオーバーライトに伴い、前記ユーザデータエリアの一部のアドレスを代替するためのスペアエリアと、前記スペアエリアに代替された前記ユーザデータエリア内の代替元アドレスと前記スペアエリアの代替先アドレスとの対応関係を示す代替リストと、各代替が前記ディフェクト管理によるものか前記ロジカルオーバーライトによるものかを識別するための識別情報とを含んでなるディフェクト管理情報を記録するためのディフェクト管理エリアとを備える。
【００９１】
本発明の制御信号を含むデータ構造に係る実施形態によれば、上述した本発明の追記型情報記録媒体に係る実施形態の場合と同様に、ディフェクト管理情報には、ディフェクト管理による退避元アドレスであるのか、又は、ロジカルオーバーライトによる代替元アドレスであるのかを識別する、例えば、１ビットのデータ量のフラグ等の識別情報を、代替元アドレスと代替先アドレスとの組に対応させて含む。従って、ロジカルオーバーライトによる代替元アドレスを識別することが可能となり、このロジカルオーバーライトによって代替元アドレスに記録されたデータを再度再生することが可能となる。
【００９２】
尚、上述した本発明の情報記録媒体に係る実施形態における各種態様に対応して、本発明の制御信号を含むデータ構造に係る実施形態も各種態様を採ることが可能である。
【００９３】
本実施形態のこのような作用及び他の利得は次に説明する実施例から明らかにされる。
【００９４】
以上説明したように、本発明の追記型情報記録媒体に係る実施形態によれば、ユーザデータエリアと、スペアエリアと、代替リスト及び識別情報を含んだディフェクト管理情報が記録されたディフェクト管理エリアとを備える。従って、ロジカルオーバーライトによって追記或いは上書きされた記録データの再利用を可能ならしめる。
【００９５】
又、本発明の記録装置及び方法に係る実施形態によれば、ディフェクト管理情報手段及び記録手段、又はディフェクト管理情報作成工程及び記録工程を備えている。従って、本発明に係る追記型情報記録媒体に係る実施形態に適切に記録データを記録できる。又、本発明の再生装置及び方法に係る実施形態によれば、第１読取手段及び再生手段を備えている。従って、本発明の追記型情報記録媒体に係る実施形態より適切に記録データを読取、且つ再生することが可能となる。
【実施例】
【００９６】
以下、本発明の実施例を図面に基づいて説明する。以下の実施例は、本発明の情報記録媒体を追記型光ディスクに適用し、本発明の記録装置及び再生装置をこの追記型光ディスク用の記録再生装置に適用した例である。
【００９７】
（情報記録媒体の実施例）
次に、図1から図６を参照して、本発明の追記型情報記録媒体の実施例について詳細に説明する。
【００９８】
まず、本発明の実施例の追記型光ディスクの記録構造並びにその光ディスクに記録された情報及びデータについて説明する。図１は本発明の実施例である追記型光ディスクの記録構造を示している。尚、図１中の左側が追記型光ディスク１００の内周側であり、図１中の右側が光ディスク１００の外周側である。
【００９９】
図１に示すように、追記型光ディスク１００の記録面上には、その内周側にリードインエリア１０１が存在し、リードインエリア１０１の外周側にデータゾーン１０２が存在し、データゾーン１０２の外周側にリードアウトエリア１０３が存在する。データゾーン１０２においては、ディスク内周側に一時的ディフェクト管理エリア１０４が配置され、ディスク外周側に一時的ディフェクト管理エリア１０５が配置されている。尚、係る一時的ディフェクト管理エリアは、情報記録媒体上に一つ備えるようにしてもよいし、２つ或いは３つ以上の複数の一時的ディフェクト管理エリアを備えるように構成してもよい。
【０１００】
リードインエリア１０１及びリードアウトエリア１０３には、夫々、光ディスク１００への情報ないしデータの記録又は読取を制御及び管理するための制御情報及び管理情報等が記録される。リードインエリア１０１内には、確定的ディフェクト管理エリア１０６が設けられている。リードアウトエリア１０３内にも、確定的ディフェクト管理エリア１０７が設けられている。確定的ディフェクト管理エリア１０６及び１０７には、夫々、ディフェクト管理情報１２０（図２参照）が記録される。
【０１０１】
また、データゾーン１０２には、画像データ、音声データ、コンテンツデータなどといった記録データが記録される。データゾーン１０２の中央には、ユーザデータエリア１０８が設けられ、ユーザデータエリア１０８と一時的ディフェクト管理エリア１０４の間にスペアエリア１０９が設けられ、ユーザデータエリア１０８と一次的ディフェクト管理エリア１０５の間にはスペアエリア１１０が設けられている。なお、スペアエリア１１０を設けなくても良い。この場合、一時的ディフェクト管理エリア１０５も設けられない。ユーザデータエリア１０８は記録データを記録するための主たる領域である。スペアエリア１０９及び１１０は、ユーザデータエリア１０８内のディフェクトから記録データを退避させるための代替記録領域である。即ち、ユーザデータエリア１０８にディフェクトが存在するときに、そのディフェクトが存在する場所に記録すべきであった記録データ又はその場所に記録されていた記録データ、言い換えると、退避データは、スペアエリア１０９又は１１０に代替的に記録される。尚、記録データと前述した制御情報とはそれらの内容に応じて常に明確に区別できるものではない。しかしながら、制御情報は主としてドライブ装置の動作制御に直接的に用いられる情報であるのに対し、記録データはドライブ装置では主として単なる記録・読取の対象となるだけのデータであり、主としてバックエンドないしホストコンピュータのデータ再生処理ないしプログラム実行処理において用いられるデータである。
【０１０２】
そして、ユーザデータエリア１０８に、すでに記録データが記録済みの場所に、新しく上書きされる記録データは、前述した退避データとして、ロジカルオーバーライト、即ち、記録データの論理的な上書きが行なわれる。
【０１０３】
より具体的には、追記型で記録済みの、即ち実際には上書きできない記録済みのデータを、ディフェクト管理と同様の仕組みを利用して、論理上で（或いはユーザから見た見かけ上で）上書きする場合において、この記録済みの場所のアドレスを、本発明に係る「代替リスト」の一例を構成するディフェクトリストに作成又は更新される代替元アドレスとし、記録されるデータを、スペアエリア１０９又は１１０内の代替先アドレスの場所に代替的に記録される。即ち、その記録済みの場所はディフェクトが存在しないにも関わらず、使用不可にされる。
【０１０４】
本実施例では、特に、ディフェクトリストに記録された、スペアエリア１０９又は１１０内の代替元アドレスは、ディフェクト管理による退避元アドレスなのか、ロジカルオーバーライトによる代替元アドレスなのかを識別するために、ディフェクトリストに識別情報が追加されている。この識別情報の詳細については、後述される。
【０１０５】
一時的ディフェクト管理エリア１０４及び１０５には、夫々、ディフェクト管理情報１２０が一時的に記録される。尚、確定的ディフェクト管理エリア１０６及び１０７にもディフェクト管理情報１２０が記録されるが、確定的ディフェクト管理エリア１０６及び１０７と一時的ディフェクト管理エリア１０４及び１０５との相違については、後述する。
【０１０６】
次に、図２を参照して、ディフェクト管理情報１２０について説明する。ディフェクト管理情報１２０は、記録再生装置２００（図８参照）により行われるディフェクト管理に加えて又は代えてロジカルオーバーライトに用いられる情報である。記録再生装置２００は、光ディスク１００に記録データを記録するとき、又は光ディスク１００から記録データを再生するときにディフェクト管理に加えて又は代えてロジカルオーバーライトを行う。本実施例においてディフェクト管理とは、主に、光ディスク１００のユーザデータエリア１０８上に傷、塵埃又は劣化等のディフェクトが存在するときに、そのディフェクトが存在する場所を避けて記録データを記録すると共に、退避データをスペアエリア１０９又は１１０に記録するといったものである。また、ユーザデータエリア１０８に記録された記録データを再生するときに、ディフェクトの存在する位置を認識し、ディフェクトの存在する位置に本来記録されるべきであった又は記録されていた記録データを、スペアエリア１０９又は１１０から読み取るといった処理もディフェクト管理の一環として行われる。このようなディフェクト管理を行うためには、記録再生装置２００がユーザデータエリア１０８内におけるディフェクトの存在位置等を認識する必要がある。ディフェクト管理情報１２０は、主として記録再生装置２００がディフェクトの存在位置等を認識するために用いられる。特に、本実施例では、ロジカルオーバーライトは、このディフェクト管理の仕組みを利用して行なわれる。
【０１０７】
図２はディフェクト管理情報１２０の内容を示している。図２に示すように、ディフェクト管理情報１２０には、設定情報１２１及びディフェクトリスト（ＤＦＬ：DeFect List）１２２が含まれている。
【０１０８】
設定情報１２１には、図２に示すように、ユーザデータエリア１０８の開始アドレス、ユーザデータエリア１０８の終了アドレス、内周側のスペアエリア１０９の開始アドレス、外周側のスペアエリア１１０の開始アドレス、その他の情報（例えば、これらのエリアのサイズ、その他ディスクの情報等）が含まれている。なお、設定情報とディフェクトリストの構造の順序は逆であってもよい。
【０１０９】
図３はディフェクトリスト１２２の内容を示している。図３に示すように、ディフェクトリスト１２２には、ユーザデータエリア１０８内におけるディフェクトが存在する位置を示すアドレス（以下、これを「ディフェクトアドレス」と呼ぶ。）と、退避データのスペアエリア１０９又は１１０内における記録位置を示すアドレス（以下、これを「代替記録アドレス」と呼ぶ。）と、その他の情報とが記録されている。即ち、ディフェクトアドレスは、本実施例に係る「ディフェクト管理による退避元アドレス」に加えて又は代えて、本発明に係る「ロジカルオーバーライトによる代替元アドレス」の一例を示すものであり、代替記録アドレスは、本実施例に係る「ディフェクト管理による退避先アドレス」に加えて又は代えて、本発明に係る「ロジカルオーバーライトによる代替先アドレス」の一例を示すものである。ユーザデータエリア１０８内に複数のディフェクトが存在するときには、それらのディフェクトに対応した複数のディフェクトアドレスと複数の代替記録アドレスがディフェクトリスト１２２内に記録される。
【０１１０】
特に、本実施例では、その他の情報として、一つのディフェクトアドレスと一つの代替記録アドレスとの組（以下、適宜「ディフェクトリストエントリー」と称する）が、ディフェクト管理によるものなのか、或いは、ロジカルオーバーライトによるものなのかを識別する識別情報が追加されている。尚、この識別情報の詳細については、後述される。
【０１１１】
尚、ディフェクト管理は、光ディスク１００のユーザデータエリア１０８についてだけでなく、光ディスク１００の記録面全体について行うことも可能である。
【０１１２】
また、ディフェクトリストは記録媒体の特定の領域に記録される。例えばブルーレーザを用いた書換可能（リライタブル）な光ディスクでは、ディフェクトリストは、ディスク上のリードインエリア又はリードアウトエリアに確保された所定の領域（以下、これらを夫々「ディフェクト管理エリア」と呼ぶ。）内に記録される。そして、本来ディフェクトの存在する場所に記録されるべき記録データも、記録媒体の特定の領域に記録される。
【０１１３】
上述したように、ディフェクトリストは、記録データの追記・論理的な上書きが行われる度に更新される。そして、ディフェクトリストは、記録データの追記・論理的な上書きにより更新される度に、当該追記・論理的な上書きの対象となっている記録媒体のディフェクト管理エリアに適切なタイミングで追記される。加えて、本来ディフェクトの存在する場所に記録されるべき記録データも、記録媒体の特定の領域に追記・論理的な上書きがなされる。言い換えると、追記型の情報記録媒体、例えばライトワンス型光ディスクである場合には、例えば、ディフェクトリストが更新される度に、その更新されたディフェクトリストが、情報記録媒体の未記録の新たな領域に適切なタイミングで追記される。
【０１１４】
次に、図４を参照して、ディフェクト管理情報１２０の記録の態様について説明する。光ディスク１００の一時的ディフェクト管理エリア１０４及び１０５と、確定的ディフェクト管理エリア１０６及び１０７は、いずれも、ディフェクト管理情報１２０を記録するための領域であるが、一時的ディフェクト管理エリア１０４及び１０５と、確定的ディフェクト管理エリア１０６及び１０７は、配置されている位置が異なり、夫々のサイズが異なり、利用目的も異なる。以下、具体的に両者の違いを説明する。
【０１１５】
図４は一時的ディフェクト管理エリア１０４又は１０５にディフェクト管理情報１２０が記録された状態の一例を示している。一時的ディフェクト管理エリア１０４及び１０５は、光ディスク１００がファイナライズされるまでの間に、ディフェクト管理情報１２０を一時的に記録するための領域である。ディフェクト管理情報１２０は、ディフェクト管理に必要な情報であり、ディフェクトの存否・位置は個々の光ディスクごとに異なるため、ディフェクト管理情報は個々の光ディスク上に記録して保持しておく必要がある。本実施例では、ファイナライズ前の段階では、ディフェクト管理情報１２０は光ディスク１００の一時的ディフェクト管理エリア１０４又は１０５に記録され、保持される。
【０１１６】
更に、本実施例では、図４に示すように、ディフェクト管理情報１２０は、一時的ディフェクト管理エリア１０４又は１０５に２回反復的に記録されることが好ましい（尚、図４はディフェクト管理情報１２０の反復的記録が２度行われた状態を示しているため、合計４個のディフェクト管理情報１２０が描かれている）。これにより、ディフェクト管理情報１２０を確実に記録でき、確実に再生することができる。但し、２回記録されなくとも、例えば１回の記録或いは３回以上の記録であっても、ディフェクト管理情報１２０や退避データを適切に記録し、再生することが可能である。
【０１１７】
光ディスク１００がファイナライズされるまでの間、ディフェクト管理情報１２０が数度更新される場合がある。例えば、１度目の記録と２度目の記録（追記）との間に、光ディスク１００に汚れが付着したような場合には、２度目の記録時にそのディフェクト（汚れ）が検出され、これに基づいてディフェクトリスト１２２が更新される。ディフェクトリスト１２２が更新されると、その更新されたディフェクトリスト１２２を含むディフェクト管理情報１２０が一時的ディフェクト管理エリア１０４又は１０５に追記される。光ディスク１００は追記型の記録媒体であるため、更新されたディフェクト管理情報１２０を既存のディフェクト管理情報１２０の上に重ねて記録することはできない。そのため、図４に示すように、更新されたディフェクト管理情報１２０は、既存のディフェクト管理情報１２０の後に連続的に記録される。
【０１１８】
このようなディフェクト管理情報１２０の反復的かつ並列的な記録を実現するために、一時的ディフェクト管理エリア１０４及び１０５は、確定的ディフェクト管理エリア１０６及び１０７よりも広い。
【０１１９】
一方、図５は確定的ディフェクト管理エリア１０６又は１０７内にディフェクト管理情報１２０が記録された状態の一例を示している。確定的ディフェクト管理エリア１０６及び１０７は、光ディスク１００がファイナライズされるときに、ディフェクト管理情報１２０を確定的に記録するための領域である。即ち、ファイナライズ前の段階では、確定的ディフェクト管理エリア１０６及び１０７は未記録状態である。ファイナライズされると、確定的ディフェクト管理エリア１０６及び１０７にディフェクト管理情報１２０が記録され、それ以降、その記録状態が継続する。
【０１２０】
本実施例では、図５に示すように、ディフェクト管理情報１２０は、確定的ディフェクト管理エリア１０６又は１０７に２回反復的に記録されることが好ましい。これにより、ディフェクト管理情報１２０を確実に記録でき、確実に再生することができる。但し、２回記録されなくとも、例えば１回の記録或いは３回以上の記録であっても、ディフェクト管理情報１２０を適切に記録し、再生することが可能である。
【０１２１】
本実施例の光ディスク１００によれば、一時的ディフェクト管理エリア１０４をリードインエリア１０１とデータゾーン１０２との間に配置し、一時的ディフェクト管理エリア１０５をデータゾーン１０２とリードアウトエリア１０３との間に配置したから、追記型光ディスク１００と一般の書換型光ディスクとの間で互換性をとることができる。なぜなら、一般の書換型光ディスクとの互換性を実現するためには、リードインエリア、データゾーン及びリードアウトエリアが存在すること、これらの領域の順序、配置、サイズ（広さ）等の基本的記録構造を維持する必要があるが、光ディスク１００では一時的ディフェクト管理エリア１０４及び１０５を設けたにもかかわらず、かかる基本的記録構造を維持しているからである。即ち、仮に一時的ディフェクト管理エリア１０４をリードインエリア１０１内に配置するとすれば、上述したように一時的ディフェクト管理エリア１０４は比較的広いので、リードインエリア１０１のサイズを拡張せざるを得なくなるという不都合が生じる。しかし、本実施例では、一時的ディフェクト管理エリア１０４をリードインエリア１０１の外に配置したので、かかる不都合は生じない。また、仮に一時的ディフェクト管理エリア１０４をデータゾーン１０２内に設けるとすれば、制御情報の性質を有するディフェクト管理情報１２０が、記録データを記録すべき領域であるデータゾーン１０２に入り込み、制御情報と記録データという性質の異なる情報がデータゾーン１０２内に混在するといった不都合が生じる。本実施例では、一時的ディフェクト管理エリア１０４をデータゾーン１０２の外に配置したので、かかる不都合は生じない。一時的ディフェクト管理エリア１０５についても同様である。
【０１２２】
尚、ユーザデータエリア１０８の開始アドレス及び終了アドレス、スペアエリア１０９の開始アドレス並びに１１０の開始アドレス（或いは、ユーザデータエリア１０８やスペアエリア１０９及び１１０のサイズ等）は、ディフェクト管理情報１２０の設定情報１２１に含まれている（図２参照）。そして、この設定情報１２１は、記録再生装置２００により設定することができる。即ち、ユーザデータエリア１０８の開始アドレス及び終了アドレス、スペアエリア１０９のサイズ並びに１１０のサイズは、これを設定情報１２１として明示しておけば、変更することが許容されており、変更しても、一般の書換型記録媒体との互換性を維持することができる。従って、ユーザデータエリア１０８の開始アドレスを後ろ（外周側）にずらせば、リードインエリア１０１とデータゾーン１０２との間にスペースを確保することができ、そのスペースに一時的ディフェクト管理エリア１０４を配置することができる。更に、ユーザデータエリア１０８の開始アドレスの設定の仕方によっては、比較的広い（大きなサイズの）一時的ディフェクト管理エリア１０４を確保することができる。一時的ディフェクト管理エリア１０５についても同様である。
【０１２３】
また、本実施例の光ディスク１００によれば、リードインエリア１０１内及びリードアウトエリア１０３内に夫々確定的ディフェクト管理エリア１０６及び１０７を配置したから、追記型光ディスク１００と一般の書換型光ディスクとの間で互換性をとることができる。即ち、一般の書換型光ディスクは、そのリードインエリア内及びリードアウトエリア内に夫々ディフェクト管理情報を記録すべき領域が配置されている。そして、光ディスク１００も、そのリードインエリア１０１内及びリードアウトエリア１０３内に確定的ディフェクト管理エリア１０６及び１０７が配置されている。かかる点において、両者の記録構造は一致している。従って、追記型光ディスク１００と一般の書換型光ディスクとの間で互換性をとることができる。
【０１２４】
次に、図６を参照して、本発明の情報記録媒体に係るディフェクト管理情報のディフェクトリストにおいて、各ディフェクトエントリーが、ディフェクト管理によるものなのか、或いは、ロジカルオーバーライトによるものなのかを識別するための識別情報について説明する。ここに、図６は、本発明の情報記録媒体に係るディフェクト管理情報のディフェクトリストにおいて、各ディフェクトエントリーが、ディフェクト管理によるものなのか、或いは、ロジカルオーバーライトによるものなのかを識別するための識別情報の一具体例を含んだデータ構造を概念的に示したテーブル図（図６（ａ））及び識別情報の他の具体例を含んだデータ構造を概念的に示したテーブル図（図６（ｂ））である。
【０１２５】
図６（ａ）に示されるように、ディフェクトリストには、例えば、光ディスクの記録領域における絶対的位置情報を示した物理アドレスで表現された一つのディフェクトアドレスと、同様に物理アドレスで表現された一つの代替記録アドレスとの組、即ち、ディフェクトリストエントリーが、追加されていく。各ディフェクトエントリーが、ディフェクト管理によるものなのか、或いは、ロジカルオーバーライトによるものなのかを識別する識別情報の一具体例としてロジカルオーバーライトフラグ５００（以下、適宜、「ＬＯＷフラグ」と称する）が追加されている。このＬＯＷフラグのデータ量は、例えば、１ビットにしてもよい。具体的には、ＬＯＷフラグが“０”であれば、当該ディフェクトリストエントリーは、ディフェクト管理によるものであることを意味する。他方、ＬＯＷフラグが“１”であれば、当該ディフェクトリストエントリーは、ロジカルオーバーライトによるものであることを意味するようにしてもよい。このＬＯＷフラグによる識別情報は、後述されるカウンターフィールドと比較して、ディフェクトリストのデータ量の減少させることが可能である。
【０１２６】
図６（ｂ）に示されるように、ディフェクトリストには、一つのディフェクトリストエントリーが、ディフェクト管理によるものなのか、或いは、ロジカルオーバーライトによるものなのかを識別する識別情報の他の具体例としてカウンターフィールドが追加されている。このカウンターフィールドのデータ量は、例えば、２又は４バイトにしてもよい。具体的には、このカウンターフィールドは、同じ代替元アドレスに対してロジカルオーバーライトが行なわれる毎に“１”だけ増加（インクリメント）される。よって、このカウンターフィールドの値によって、同じ代替元アドレスに対する代替先アドレスの変遷の回数が分かるので、この代替元アドレスに記録されたデータを遡って再度再生すること、即ち、記録されたデータの世代管理を容易にすることが可能となる。他方、カウンターフィールドの値が“０”のままであれば、当該ディフェクトリストエントリーは、ディフェクト管理によるものであることを意味するようにしてもよい。特に、図６（ｂ）では、このカウンターフィールドのデータ量は、例えば、２バイトであり、１６進数で表現されているので、６５５３５回までロジカルオーバーライトの回数を計算することが可能である。
【０１２７】
尚、上述した識別情報の具体例及び他の具体例において、ディフェクトアドレス及び代替記録アドレスは、絶対的位置情報を示した物理アドレスで表現されているが、相対的位置情報を示した例えば、オフセットアドレス等によって表現されていてもよい。このことによって、ディフェクトリストのデータ量の減少させることが可能となる。
【０１２８】
（情報記録再生装置の実施例）
次に、図７から図１９を参照して、本発明の情報記録再生装置の実施例の構成及び動作について詳細に説明する。
【０１２９】
先ず、図７から図９を参照して、本発明の実施例である記録再生装置の構成について説明する。図７は本発明の実施例である記録再生装置２００を示している。記録再生装置２００は、光ディスク１００に記録データを記録する機能と、光ディスク１００に記録された記録データを再生する機能とを備えている。
【０１３０】
記録再生装置２００は、ディスクドライブ３００と、バックエンド４００とを備えている。
【０１３１】
図８はディスクドライブ３００の内部構成を示している。ディスクドライブ３００は、光ディスク１００に情報を記録すると共に、光ディスク１００に記録された情報を読み取る装置である。
【０１３２】
ディスクドライブ３００は、図８に示すように、スピンドルモータ３５１、光ピックアップ３５２、ＲＦアンプ３５３及びサーボ回路３５４を備えている。
【０１３３】
スピンドルモータ３５１は光ディスク１００を回転させるモータである。
【０１３４】
光ピックアップ３５２は、光ディスク１００の記録面に対して光ビームを照射することによって記録データ等を記録面上に記録すると共に、光ビームの反射光を受け取ることによって記録面上に記録された記録データ等を読み取る装置である。光ピックアップ３５２は、光ビームの反射光に対応するＲＦ信号を出力する。
【０１３５】
ＲＦアンプ３５３は、光ピックアップ３５２から出力されたＲＦ信号を増幅して、そのＲＦ信号を変調復調部３５５に出力する。更に、ＲＦアンプ３５３は、ＲＦ信号から、ウォブル周波数信号ＷＦ、トラックエラー信号ＴＥ及びフォーカスエラー信号ＦＥを作り出し、これらを出力する。
【０１３６】
サーボ回路３５４は、トラックエラー信号ＴＥ、フォーカスエラー信号ＦＥその他のサーボ制御信号に基づいて光ピックアップ３５２及びスピンドルモータ３５１の駆動を制御するサーボ制御回路である。
【０１３７】
更に、ディスクドライブ３００は、図８に示すように、変調復調部３５５、バッファ３５６、インターフェース３５７及び光ビーム駆動部３５８を備えている。
【０１３８】
変調復調部３５５は、読取時において記録データに対してエラー訂正を行う機能と、記録時において記録データにエラー訂正符号を付加してこれを変調する機能とを備えた回路である。具体的には、変調復調部３５５は、読取時においては、ＲＦアンプ３５３から出力されるＲＦ信号を復調し、これに対してエラー訂正を行った後、これをバッファ３５６に出力する。更に、変調復調部３５５は、復調されたＲＦ信号に対してエラー訂正を行った結果、エラー訂正が不能であるときには、その旨を示すエラー訂正不能信号を生成し、これをディフェクト検出部３５９に出力する。また、変調復調部３５５は、記録時においては、バッファ３５６から出力される記録データにエラー訂正符号を付加した後、これを、光ディスク１００の光学的特性等に適合する符号となるように変調し、変調された記録データを光ビーム駆動部３５８に出力する。
【０１３９】
バッファ３５６は、記録データを一時的に蓄える記憶回路である。
【０１４０】
インターフェース３５７は、ディスクドライブ３００とバックエンド４００との間の記録データ等の入出力制御ないし通信制御を行う回路である。具体的には、インターフェース３５７は、再生時においては、バックエンド４００からの要求命令に応じて、バッファ３５６から出力される記録データ（即ち光ディスク１００から読み取られた記録データ）をバックエンド４００へ出力する。また、インターフェース３５７は、記録時においては、バックエンド４００からディスクドライブ３００に入力される記録データを受け取り、これをバッファ３５６に出力する。更に、インターフェース３５７は、バックエンド４００からの要求命令に応じて、ディフェクト管理情報作成部３６０に保持されているディフェクトリストの全部又は一部をバックエンド４００に出力する。
【０１４１】
光ビーム駆動部３５８は、記録時において、変調復調部３５５から出力された記録データに対応する光ビーム駆動信号を生成し、これを光ピックアップ３５２に出力する。光ピックアップ３５２は、光ビーム駆動信号に基づいて光ビームを変調し、光ディスク１００の記録面に照射する。これにより、記録データ等が記録面上に記録される。
【０１４２】
更に、ディスクドライブ３００は、図８に示すように、ディフェクト検出部３５９及びディフェクト管理情報作成部３６０を備えている。
【０１４３】
ディフェクト検出部３５９は、光ディスク１００のディフェクトを検出する回路である。そして、ディフェクト検出部３５９は、ディフェクトの存否を示すディフェクト検出信号を生成し、これを出力する。ディフェクト検出部３５９は、情報の読取時（ベリファイ時又は再生時）における記録データのエラー訂正の結果に基づいて、ディフェクト検出を行う。上述したように、変調復調部３５５は、復調されたＲＦ信号に対してエラー訂正を行った結果、エラー訂正が不能であるときには、その旨を実質的に示すエラー訂正不能信号を生成し、これをディフェクト検出部３５９に出力する。ディフェクト検出部３５９は、このエラー訂正不能信号を受け取ったときに、ディフェクトが存在していることを示すディフェクト検出信号を出力する。
【０１４４】
ディフェクト管理情報作成部３６０は、ディフェクト検出部３５９から出力されたディフェクト検出信号に基づいて、ディフェクト管理情報１２０を作成し、又は更新する回路である。ディフェクト管理情報１２０は、ディフェクト管理情報作成部３６０内に設けられた記憶回路に書換可能な状態で記憶される。更に、ディフェクト管理情報作成部３６０は、バックエンド４００からの要求命令に応じて、ディフェクト管理情報１２０をインタ−フェース３５７を介してバックエンド４００に出力する。
【０１４５】
更に、図８に示すように、ディスクドライブ３００はＣＰＵ３６１を有している。ＣＰＵ３６１は、ディスクドライブ３００の全体的な制御及び上述したディスクドライブ３００内の各要素間の情報のやり取りを制御する。更に、ＣＰＵ３６１は、記録データ及びディフェクト管理情報１２０の記録動作及び読取動作を制御する。更に、ＣＰＵ３６１は、バックエンド４００から送られる制御命令ないし要求命令に応じて、ディスクドライブ３００とバックエンド４００との間のデータのやり取りを制御する。
【０１４６】
次に、図９はバックエンド４００の内部構成を示している。バックエンド４００は、ディスクドライブ３００によって光ディスク１００から読み取られた記録データに対して再生処理を行うと共に、光ディスク１００に記録する目的で外部から供給された記録データを受け取り、これを圧縮（エンコード）してディスクドライブ３００に送り出す装置である。
【０１４７】
バックエンド４００は、ドライブ制御部４７１、ビデオデコーダ４７２、オーディオデコーダ４７３、ビデオエンコーダ４７４、オーディオエンコーダ４７５、システム制御部４７６及びディフェクト管理部４７７を備えている。
【０１４８】
ドライブ制御部４７１は、ディスクドライブ３００の読取処理及び記録処理を制御する回路である。記録データを光ディスク１００から読み取ってそれを再生する作業、及び記録データを外部から受け取ってそれを光ディスク１００に記録する作業は、バックエンド４００とディスクドライブ３００とが協働して行う。ドライブ制御部４７１は、ディスクドライブ３００の読取処理及び記録処理を制御することにより、バックエンド４００とディスクドライブ３００との協働を実現する。具体的には、ドライブ制御部４７１は、ディスクドライブ３００に対して、読取、記録、バッファ３５６から記録データの出力、ディフェクト管理情報作成部３６０からのディフェクト管理情報１２０の出力などに関する要求命令を出力する。更に、ドライブ制御部３７１は、記録データ及びディフェクト管理情報１２０その他各種情報の入力・出力を制御する入出力制御を行う。
【０１４９】
ビデオデコーダ４７２及びオーディオデコーダ４７３は、夫々、ディスクドライブ３００により光ディスク１００から読み取られ、ドライブ制御部４７１を介して供給された記録データを復調し、記録データをディスプレイ、スピーカなどにより再生可能な状態に変換する回路である。
【０１５０】
ビデオエンコーダ４７４及びオーディオエンコーダ４７５は、夫々、光ディスク１００に記録する目的で外部から入力された映像信号、音声信号等を受け取り、これを例えばＭＰＥＧ圧縮方式等により圧縮し、これを、ドライブ制御部４７１を介してディスクドライブ３００に供給する回路である。
【０１５１】
システム制御部４７６は、再生時には、ドライブ制御部４７１、ビデオデコーダ４７２、オーディオデコーダ４７３、ディフェクト管理部４７７を制御し、これらと協働して記録データの再生処理を行う回路である。また、記録時には、システム制御部４７６は、ドライブ制御部４７１、ビデオエンコーダ４７４、オーディオエンコーダ４７５、ディフェクト管理部４７７を制御し、これらと協働して記録データの記録処理を行う。また、システム制御部４７６は、再生時及び記録時において、ディスクドライブ３００とバックエンド４００との協働を実現するために、ドライブ制御４７１と共に、ディスクドライブ３００に対する制御（例えば各種要求命令の生成・送信、応答信号の受信など）を行う。
【０１５２】
ディフェクト管理部４７７は、その内部に記憶回路を有しており、ディスクドライブ３００のディフェクト管理情報作成部３６０により作成・更新されたディフェクト管理情報１２０の全部又は一部を受け取り、これを保持する機能を備えている。そして、ディフェクト管理部４７７はシステム制御部４７６と共に、ディフェクト管理を行う。
【０１５３】
（情報記録再生装置の初期設定動作）
次に、記録再生装置２００における初期設定動作について説明する。図１０は記録再生装置２００の初期設定動作を示している。記録再生装置２００は、光ディスク１００がドライブユニット３００に装着されてから、記録データの記録又は再生を行うまでの間に、初期設定を行う。初期設定は、記録データの記録又は再生の準備をするための処理であり、様々な処理を含んでいるが、以下、これらの処理のうち、光ディスク１００のイニシャライズ、ディフェクト管理情報１２０の作成、及びディフェクト管理情報１２０のバックエンドへの送出等について説明する。これらの処理は、主としてドライブユニット３００のＣＰＵ３６１の制御のもとに行われる。
【０１５４】
次に、記録再生装置２００における初期設定動作について説明する。図１０は記録再生装置２００の初期設定動作を示している。記録再生装置２００は、光ディスク１００がドライブユニット３００に装着されてから、記録データの記録又は再生を行うまでの間に、初期設定を行う。初期設定は、記録データの記録又は再生の準備をするための処理であり、様々な処理を含んでいるが、以下、これらの処理のうち、光ディスク１００のイニシャライズ、ディフェクト管理情報１２０の作成、及びディフェクト管理情報１２０のバックエンドへの送出等について説明する。これらの処理は、主としてドライブユニット３００のＣＰＵ３６１の制御のもとに行われる。
【０１５５】
図１０に示すように、光ディスク１００がドライブユニット３００に装着されると、ドライブユニット３００のＣＰＵ３６１は、光ディスク１００が未記録ディスク（ブランクディスク）であるか否かを判定する（ステップＳ１１）。
【０１５６】
光ディスク１００が未記録ディスクであるときには（ステップＳ１１：ＹＥＳ）、ＣＰＵ３６１は、光ディスク１００に対してイニシャライズ処理を行う（ステップＳ１２）。このイニシャライズ処理において、ディフェクト管理情報作成部３６０は、ディフェクト管理情報１２０を作成する（ステップＳ１３）。具体的には、イニシャライズ処理の中で設定されたユーザデータエリア１０８の開始アドレス及び終了アドレス並びにスペアエリア１０９及び１１０のサイズを取得し、設定情報１２１を作成する。更に、ディフェクトリスト１２２を作成する。尚、ここで作成されるディフェクトリスト１２２は、外枠のみであり、内実はない。即ち、ディフェクトアドレスは記録されておらず、具体的な代替記録アドレスも記録されていない。ただ、ヘッダ、識別情報などが記録されるのみである。作成されたディフェクト管理情報１２０はディフェクト管理情報作成部３６０内に記憶保持される。
【０１５７】
続いて、ＣＰＵ３６１は、ディフェクト管理情報作成部３６０内に記憶されたディフェクト管理情報１２０をバックエンド４００に送る（ステップＳ１４）。ディフェクト管理情報１２０はバックエンド４００のディフェクト管理部４７７に記憶される。
【０１５８】
続いて、ＣＰＵ３６１は、ディフェクト管理情報作成部３６０内に記憶されたディフェクト管理情報１２０を光ディスク１００の一時的ディフェクト管理エリア１０４又は１０５に反復的に２回記録する（ステップＳ１５）。
【０１５９】
一方、光ディスク１００が未記録ディスクでない場合には（ステップＳ１１：ＮＯ）、続いて、ＣＰＵ３６１は、光ディスク１００がファイナライズ済みか否かを判定する（ステップＳ１６）。ファイナライズとは、主に、光ディスク１００を一般の書換型光ディスク用の再生装置や、一般の再生専用型光ディスク用の再生装置によって再生できるように、記録フォーマットを整えるための処理である。光ディスク１００がファイナライズ済みか否かは、光ディスク１００のリードインエリア１０１等に記録された制御情報を参照することにより、知ることができる。
【０１６０】
光ディスク１００がファイナライズ済みでない場合には（ステップＳ１６：ＮＯ）、ＣＰＵ３６１は、ディフェクト管理情報１２０を光ディスク１００の一時的ディフェクト管理エリア１０４又は１０５から読み取る（ステップＳ１７）。即ち、光ディスク１００が未記録ディスクでない場合には、すでに過去に作成されたディフェクト管理情報１２０が一時的ディフェクト管理エリア１０４又は１０５に記録されているので、本ステップでは、これを読み取る。
【０１６１】
更に、一時的ディフェクト管理エリア１０４又は１０５内に複数のディフェクト管理情報１２０が記録されている場合には、ＣＰＵ３６１はその中から最新のディフェクト管理情報１２０を選択して、これを読み取る（ステップＳ１８）。即ち、ファイナライズ前の段階では、ディフェクト管理情報１２０は、それが更新される度に、一時的ディフェクト管理エリア１０４又は１０５に記録される。そして、それら複数のディフェクト管理情報１２０は、更新された順序で、連続的に配列されている。従って、一時的ディフェクト管理エリア１０４又は１０５の中で、最後に配置されているディフェクト管理情報が最新のディフェクト管理情報である。そこで、ＣＰＵ３６１は最後に配置されているディフェクト管理情報を選択し、これを読み取る。
【０１６２】
本実施例では、最後に配置されているディフェクト管理情報１２０を特定するために、次のような方法を採用している。即ち、一時的ディフェクト管理エリア１０４又は１０５に複数のディフェクト管理情報１２０が連続的に並んで記録されている場合、一時的ディフェクト管理エリア１０４又は１０５の開始アドレスから、最後のディフェクト管理情報１２０が記録された領域の終端アドレスまでは情報が記録され、それ以降は未記録である。そこで、ＣＰＵ３６１は、光ピックアップ３５２を制御して、一時的ディフェクト管理エリア１０４又は１０５内をその開始アドレスからスキャンし、未記録状態となった位置を検出し、その位置から一時的ディフェクト管理エリア１０４又は１０５内を逆方向にスキャンする。このようにして、最後のディフェクト管理情報１２０を特定する。このような方法によれば、最後のディフェクト管理情報１２０を、ポインタ等を用いずに簡単に特定することができる。
【０１６３】
続いて、ＣＰＵ３６１は、読み取った最後のディフェクト管理情報１２０をディフェクト管理情報作成部３６０に記憶し、かつ、これをバックエンド４００に送る（ステップＳ１９）。最後のディフェクト管理情報１２０は、バックエンド４００のディフェクト管理部４７７に記憶される。
【０１６４】
一方、光ディスク１００が未記録ディスクでなく、かつファイナライズ済みである場合には（ステップＳ１６：ＹＥＳ）、ＣＰＵ３６１は、ディフェクト管理情報１２０を確定的ディフェクト管理エリア１０６又は１０７から読み取り（ステップＳ２０）、これをバックエンド４００に送る（ステップＳ２１）。ディフェクト管理情報１２０は、バックエンド４００のディフェクト管理部４７７に記憶される。
【０１６５】
以上より、ディフェクト管理情報１２０が作成され、あるいはディフェクト管理情報１２０が一時的ディフェクト管理エリア１０４又は１０５から選択的に読み取られ、あるいはディフェクト管理情報１２０が確定的ディフェクト管理エリア１０６又は１０７から読み取られ、ディフェクト管理情報作成部３６０内に記憶されると共に、バックエンド４００のディフェクト管理部４７７に記憶される。これにより、ディフェクト管理の準備が整い、初期設定が終了する。
【０１６６】
（情報記録再生装置の記録動作）
次に、記録再生装置２００の記録動作について説明する。図１１は主に記録再生装置２００の記録動作を示している。記録再生装置２００は、記録データを光ディスク１００のユーザデータエリア１０８に記録する記録動作を行う。記録再生装置２００は、ディフェクト管理に加えて又は代えてロジカルオーバーライトを行いながら記録動作を行う。更に、記録再生装置２００は、記録動作の中でベリファイ処理を行い、このベリファイ処理の結果に基づいてディフェクトリスト１２２を更新する。記録動作は、ドライブユニット３００のＣＰＵ３６１とバックエンド４００のシステム制御部４７６の協働によって実現する。
【０１６７】
図１１に示すように、ユーザが記録開始の指示を入力すると（ステップＳ３３：ＹＥＳ）、これに応じて、記録再生装置２００は記録データを記録する（ステップＳ３４）。記録データの記録は所定のブロックごとに行われる。記録再生装置２００は、バックエンド４００のディフェクト管理部４７７に記憶されたディフェクト管理情報１２０を参照し、これに基づいてディフェクト管理を行いながら、即ち、ディフェクトの存在する場所を避けながら、記録データを記録する。
【０１６８】
記録再生装置２００は、１ブロックの記録を行う度に、ベリファイを行い（ステップＳ３５）、ベリファイの結果に基づいて、ディフェクト管理情報１２０を更新する。ここで、尚、更新されるディフェクト管理情報１２０は、ドライブユニット３００のディフェクト管理情報作成部３６０内に記憶されたディフェクト管理情報である。具体的には、ベリファイの結果、記録データの記録に失敗したことを認識したときには（ステップＳ３６：ＹＥＳ）、ドライブユニット３００のＣＰＵ３６１は、当該記録に失敗した記録データ、即ち、退避データをスペアエリア１０９又は１１０に記録する（ステップＳ３７）。続いて、ＣＰＵ３６１は、当該記録データの記録すべきであった場所にディフェクトが存在すると推測し、その場所を示すディフェクトアドレスとそれに対応する代替記録アドレスをディフェクトリスト１２２に記録する。それと同時に、このディフェクトリストエントリーにおけるＬＯＷフラグの値は“０”にセットされる（図６（ａ）を参照）、或いは、カウンターフィールドの値を増加（インクリメント）させない（図６（ｂ）を参照）（ステップＳ３８）。
【０１６９】
他方、ステップＳ３６の判定の結果、当該記録データの記録すべき場所にディフェクトが存在しないことが判明した場合（ステップＳ３６：ＮＯ）、更に、当該記録データの記録すべき場所はすでに、記録済みの状態であるのか否かが判定される（ステップＳ４１）。ここで、当該記録データの記録すべき場所がすでに、記録済みの状態である場合（ステップＳ４１：ＹＥＳ）ドライブユニット３００のＣＰＵ３６１は、当該記録すべき記録データをスペアエリア１０９又は１１０に記録する（ステップＳ４２）。続いて、ＣＰＵ３６１は、当該記録データの記録すべきであった場所は記録済みの状態であると推測し、その場所を示すロジカルオーバーライトによる代替元アドレス、即ち、ディフェクトアドレスと、それに対応するロジカルオーバーライトによる代替先アドレス、即ち、代替記録アドレスをディフェクトリスト１２２に記録する。それと同時に、このディフェクトリストエントリーにおけるＬＯＷフラグの値は“１”にセットされる（図６（ａ）を参照）、或いは、カウンターフィールドの値を“１”だけ増加（インクリメント）させる（図６（ｂ）を参照）（ステップＳ４３）。
【０１７０】
他方、ステップＳ４１の判定の結果、当該記録データの記録すべき場所が、未記録の状態である場合（ステップＳ４１：ＮＯ）、ディフェクト管理情報の作成又は更新は行なわれないと共に、通常の記録動作が継続して行なわれる。
【０１７１】
今回記録すべき記録データの一連のブロックについて上記ステップＳ３４ないしＳ３８並びに、ステップＳ４１ないしＳ４３の処理が終了したとき（ステップＳ３９：Ｙｅｓ）、ＣＰＵ３６１は、更新したディフェクト管理情報１２０を光ディスク１００の一時的ディフェクト管理エリア１０４又は１０５に反復的に２回記録する（ステップＳ４０）。尚、ここで一時的ディフェクト管理エリア１０４又は１０５に記録されるディフェクト管理情報１２０は、ディフェクト管理情報作成部３６０内に記憶されたディフェクト管理情報である。以上で、記録動作は完了する。
【０１７２】
（情報記録再生装置のファイナライズ処理）
次に、記録再生装置２００におけるファイナライズ処理について説明する。図１２はファイナライズ処理を示している。例えばユーザがファイナライズ処理を行う旨の指示を入力すると（図１１中のステップＳ３１：ＹＥＳ）、記録再生装置２００は、光ディスクがファイナライズ済みでないことを確認した上で（ステップＳ５１：ＹＥＳ）、その光ディスク１００に対してファイナライズ処理を行う（ステップＳ５２）。ファイナライズ処理の際に、記録再生装置２００は、ディフェクト管理情報１２０を光ディスク１００の確定的ディフェクト管理エリア１０６又は１０７に反復的に２回記録する（ステップＳ５３）。但し、１回の記録であってもよいし、或いは３回以上の複数回の記録であってもよい。尚、ここで確定的ディフェクト管理エリア１０６又は１０７に記録されるディフェクト管理情報１２０は、ディフェクト管理情報作成部３６０内に記憶されたディフェクト管理情報１２０である。以上で、ファイナライズ処理は完了する。
【０１７３】
（情報記録再生装置の再生動作）
次に、記録再生装置２００の再生動作について説明する。図１３は記録再生装置２００の再生動作を示している。
【０１７４】
前述した図１１においてユーザが再生開始の指示を入力すると（ステップＳ３２：ＹＥＳ）、記録再生装置２００は、図１３に示すように、光ディスク１００が未記録ディスクでないことを確認した上で（ステップＳ７１：ＮＯ）、光ディスク１００のユーザデータエリア１０８に記録された記録データを再生する（ステップＳ７２）。記録再生装置２００は、バックエンド４００のディフェクト管理部４７７に記憶されたディフェクト管理情報１２０に基づいてディフェクト管理を行いながら、記録データの再生を行う。
【０１７５】
記録データの再生中には、逐次再生中のユーザデータエリア１０８が、ディフェクトリスト（ＤＦＬ：DeFect List）１２２に退避元アドレス又は代替元アドレスとして記録された場所に該当するか否かが判定されている（ステップＳ７３）。ここで、ディフェクトリスト（ＤＦＬ）に退避元アドレス又は代替元アドレスとして記録された場所であると判定された場合には（ステップＳ７３：ＹＥＳ）、更に、ＬＯＷフラグが“１”であるか否かが判定される（ステップＳ７４）。このことより、ディフェクトリストに記録された、スペアエリア１０９又は１１０内の退避元アドレス又は代替元アドレスは、ディフェクト管理による退避元アドレス、即ち、ディフェクトの存在する退避元アドレスなのか、ロジカルオーバーライトによる代替元アドレスなのかを識別することが可能となる。ここで、ＬＯＷフラグが“１”である場合（ステップＳ７４：ＹＥＳ）、ロジカルオーバーライトによる代替元アドレスは、記録済みの状態であると識別することができる（ステップＳ７５）。
【０１７６】
他方、ステップＳ７４の判定の結果、ＬＯＷフラグが“１”でなく“０”である場合（ステップＳ７４：ＮＯ）、ディフェクト管理による退避元アドレスにはディフェクトが存在すると識別することができる（ステップＳ７６）。
【０１７７】
続いて、ディフェクトリストの代替先アドレスの場所に記録されている記録データが再生される（ステップＳ７７）。特に、ロジカルオーバーライトによる代替元アドレスと識別された場合には、後述されるように、ディフェクトリストエントリーの変化を把握することによって、例えば、１世代前又は数世代以上前の記録データの再生を行うことも可能となる。
【０１７８】
尚、再生中に新たにディフェクトが発生した場合には、前述した図１１のステップＳ３６ないしステップＳ３８に従って、逐次ディフェクト管理が行なわれる。
【０１７９】
そして、再生終了か否かが判定され（ステップＳ７８）、再生が終了していれば（ステップＳ７８：ＹＥＳ）、再生動作を終了する。他方、再生が終了していなければ（ステップＳ７８：ＮＯ）、引き続きディフェクト管理情報に基づいて、ステップＳ７２からステップＳ７７までの再生動作を続ける。
【０１８０】
（情報記録再生装置の記録動作）
次に、図１４から図１７を参照して、本発明の情報記録再生装置に係る記録再生装置２００によって、ディフェクト管理とロジカルオーバーライトとを同時に行った記録動作について一具体例を示しながら説明する。尚、説明を理解し易くするために、情報記録媒体には、ユーザデータエリア１０８、スペアエリア１０９及び一時的ディフェクト管理エリア１０４の記録領域だけが存在するものとする。ここに、図１４は、本発明の情報記録再生装置に係る記録再生装置２００によって、ディフェクト管理とロジカルオーバーライトとを同時に行った記録動作の第１から第３フェイズにおけるＥＣＣブロック単位の記録領域及びディフェクトリストを示した図式的なデータ構造の概念図である。図１５は、本発明の情報記録再生装置に係る記録再生装置２００によって、ディフェクト管理とロジカルオーバーライトとを同時に行った記録動作の第４から第６フェイズにおけるＥＣＣブロック単位の記録領域及びディフェクトリストの変化を示した図式的なデータ構造の概念図である。図１６は、本発明の情報記録再生装置に係る記録再生装置２００によって、ディフェクト管理とロジカルオーバーライトとを同時に行った記録動作の第７及び第８フェイズにおけるＥＣＣブロック単位の記録領域及びディフェクトリストの変化を示した図式的なデータ構造の概念図である。図１７は、本発明の情報記録再生装置に係る記録再生装置２００によって、ディフェクト管理とロジカルオーバーライトとを同時に行った記録動作において、ディフェクトリストにおけるディフェクトリストエントリー及びＬＯＷフラグの変化をパターン別に示した図式的な概念図である。
【０１８１】
尚、図１４から図１６の各フェイズに加えて図１７におけるディフェクトリスト１２２のテーブルにおいて、１つのディフェクトリストエントリーのアドレス情報の左側に位置するアルファベットがユーザデータエリアにおける退避元アドレス又は代替元アドレスを示し、右側に位置する数字が退避先アドレス又は代替先アドレスを示す。そして、各ディフェクトリストエントリーの一番右側には、ＬＯＷフラグの値が格納される。また、図１４中の２重の四角内に示されるように、矢印直線は、未記録領域に実際の記録データが記録されたことを意味する。点線矢印線又は点線は、ロジカルオーバーライト、即ち、論理的な上書きが行なわれた場所を意味する。矢印曲線については、矢印曲線元が、ロジカルオーバーライトによる代替元アドレス又はディフェクト管理による退避元アドレスを意味し、矢印曲線先がロジカルオーバーライトによる代替先アドレス又はディフェクト管理による退避先アドレスを意味する。直線は、記録データが記録済みの状態であることを意味する。“×”マークは、ディフェクトが存在する場所であることを意味する。
【０１８２】
図１４の第１フェイズに示されるように、記録領域には、スペアエリア１０９、ユーザデータエリア１０８及び一時的ディフェクト管理エリアを備えて構成されている。各記録領域における１つのブロックは、ＥＣＣ（Error Correcting Code）ブロックを示している。第１フェイズでは、すべての記録領域は未記録状態である。
【０１８３】
次に、図１４の第２フェイズに示されるように、ユーザデータエリア１０８のアドレス“ａ”及び“ｂ”で示されたＥＣＣブロックにおいて、ディフェクト管理情報が参照されながら記録データが実際に記録される。
【０１８４】
次に、図１４の第３フェイズに示されるように、ユーザデータエリア１０８のアドレス“ａ”から“ｈ”で示されたＥＣＣブロックにおいて、記録データの記録が行なわれるように、記録再生装置２００に対して指示される。より詳細には、ユーザデータエリア１０８のアドレス“ｃ”から“ｈ”で示されたＥＣＣブロックにおいては、未記録状態の領域に対して通常の記録動作が行なわれる。特に、ユーザデータエリア１０８のアドレス“ａ”及び“ｂ”で示されたＥＣＣブロックは、既に、第２フェイズにおいて記録済みの状態であるので、ロジカルオーバーライトが行なわれる。
【０１８５】
具体的には、この第２パターンの通常のロジカルオーバーライトによって、ユーザデータエリア１０８のＥＣＣブロックのアドレス“ａ”及び“ｂ”（代替元アドレス）の場所に既に記録済み状態なので、論理的に上書きすべきデータが、スペアエリア１０９のアドレス“１”及び“２”（代替先アドレス）に代替的に記録される。
【０１８６】
それと同時に、第１ディフェクトリスト１２２に、一つの代替元アドレス“ａ”と、一つの代替先アドレス“１”との組、即ち、ディフェクトリストエントリーが、追加されると共に、ロジカルオーバーライトであることを識別可能とするために、ＬＯＷフラグの値は“１”にセットされる。同様にして一つの代替元アドレス“ｂ”と、一つの代替先アドレス“２”との組、即ち、ディフェクトリストエントリーが、追加されると共に、ロジカルオーバーライトであることを識別可能とするために、ＬＯＷフラグの値は“１”にセットされる。
【０１８７】
以上のように、第２フェイズから第３フェイズへと変遷する時に、アドレス“ａ”及び“ｂ”で示されたＥＣＣブロックにおけるディフェクトリストエントリーが、第１ディフェクトリスト１２２に追加されている。このことは、図１７に示された、ディフェクトリストエントリーが「無」（無い状態）からＬＯＷフラグが“１”のディフェクトエントリーが追加された第２パターンに該当している。
【０１８８】
（ＬＯＷフラグの変化のパターンの説明）
ここで、図１７を参照して、ＬＯＷフラグの変化の一例である第２パターンの定義と意味について説明する。
【０１８９】
図１７に示されるように、ＬＯＷフラグの変化の一例である第２パターンは、ＬＯＷフラグの値が、“無し”から“１”へと変化しているパターンである。即ち、ディフェクトリストエントリーがディフェクトリストに新しく追加されているパターンである。また、変化後のＬＯＷフラグが“１”のため、ロジカルオーバーライトを意味する。特に、第２パターンは、通常のロジカルオーバーライトを意味する。
【０１９０】
この第２パターンの通常のロジカルオーバーライトによって、ユーザデータエリアのＥＣＣブロックのアドレス“Ａ”（代替元アドレス）の場所に既に記録済み状態なので、論理的に上書きすべきデータが、スペアエリアのアドレス“１”（代替先アドレス）に代替的に記録される。
【０１９１】
具体的には、前述した第３フェイズの代替的記録動作及び第１ディフェクトリスト１２２の作成の通りである。
【０１９２】
特に、通常のロジカルオーバーライトによる代替記録動作において、代替元アドレスのＥＣＣブロックはデータが記録済み状態であり、ディフェクトは存在しないので、代替元アドレスのＥＣＣブロックに記録済みのデータを再度再生のために使用することが可能である。
【０１９３】
具体的には、後述に詳細に説明されるように、記録データのバージョン管理を行うようなアプリケーションで、履歴又は世代を時間的に遡って古い旧バージョンのファイル等の記録データを再度再生する必要がある場合などに代替元アドレスのＥＣＣブロックを再利用することが可能である。より具体的には、変化前、即ち、１世代前のＥＣＣブロック（例えば、代替元アドレス“Ａ”）を再利用することが可能である。
【０１９４】
以下、説明の便宜を考えて引き続き、図１７を参照して、第１から第６パターンについて説明する。
【０１９５】
ここに、ＬＯＷフラグの変化の他の一例である第１パターンは、ＬＯＷフラグの値が、“無し”から“０”へと変化しているパターンである。即ち、ディフェクトリストエントリーがディフェクトリストに追加されるパターンである。また、変化後のＬＯＷフラグが“０”のため、ディフェクト管理を意味する。特に、第１パターンは、通常のディフェクト管理である。
【０１９６】
この第１パターンの通常のディフェクト管理によって、ユーザデータエリアのＥＣＣブロックのアドレス“Ａ”（退避元アドレス）の場所にはディフェクトが存在するので、この場所に記録すべきデータが、スペアエリアのアドレス“１”（退避先アドレス）に代替的に記録される。
【０１９７】
特に、第１パターンの通常のディフェクト管理による代替記録動作において、退避元アドレスのＥＣＣブロックにはディフェクトが存在するため、データは記録されていないので、履歴又は世代を時間的に遡って退避元アドレスのＥＣＣブロックを再利用することはできない。
【０１９８】
ここに、ＬＯＷフラグの変化の他の一例である第３パターンは、ＬＯＷフラグの値は、“０”から“０”へと不変であるパターンである。即ち、ディフェクトリストにおいて、ディフェクトリストエントリーが更新されるパターンである。また、変化後のＬＯＷフラグが“０”のため、ディフェクト管理である。
【０１９９】
この第３パターンは、変化前には、ディフェクト管理によって、ユーザデータエリアのＥＣＣブロックのアドレス“Ａ”（退避元アドレス）の場所にはディフェクトが存在するので、この場所に記録すべきデータが、スペアエリアのアドレス“１”（退避先アドレス）に代替的に記録されている。そして、このスペアエリアのアドレス“１”（退避先アドレス）の場所にディフェクトが発生したため、ディフェクト管理によって、スペアエリアのアドレス“２”（退避先アドレス）の場所に再度退避されたことを意味している。
【０２００】
特に、第３パターンのディフェクト管理による代替記録動作において、履歴又は世代を時間的に遡って退避元アドレスのＥＣＣブロックの再利用を行うことは、第１パターンと同様にできない。
【０２０１】
ここに、ＬＯＷフラグの変化の他の一例である第４パターンは、ＬＯＷフラグの値は、“０”から“１”へと変化しているパターンである。即ち、ディフェクトリストにおいて、ディフェクトリストエントリーが更新されるパターンである。また、変化後のＬＯＷフラグが“１”のため、ロジカルオーバーライトである。
【０２０２】
この第４パターンは、変化前には、ディフェクト管理によって、ユーザデータエリアのＥＣＣブロックのアドレス“Ａ”（退避元アドレス）の場所にはディフェクトが存在するので、この場所に記録すべきデータが、スペアエリアのアドレス“１”（退避先アドレス）に代替的に記録されている。そして、ユーザデータエリアのＥＣＣブロックのアドレス“Ａ”（退避元アドレス）の場所にはディフェクトが存在するが、記録済みの状態であるとみなして、ロジカルオーバーライトによって、スペアエリアのアドレス“２”（代替先アドレス）の場所に代替的に記録される。
【０２０３】
特に、第４パターンのディフェクト管理及びロジカルオーバーライトによる代替記録動作において、履歴又は世代を時間的に遡って代替元アドレスのＥＣＣブロックの再利用を行うことは、第２パターンと概ね同様である。より具体的には、変化前、即ち、１世代前のＥＣＣブロック（例えば、代替先アドレス“１”）を再利用することが可能である。
【０２０４】
ここに、ＬＯＷフラグの変化の他の一例である第５パターンは、ＬＯＷフラグの値は、“１”から“０”へと変化しているパターンである。即ち、ディフェクトリストにおいて、ディフェクトリストエントリーが更新されるパターンである。また、変化後のＬＯＷフラグが“０”のため、ディフェクト管理である。
【０２０５】
この第５パターンは、変化前には、ロジカルオーバーライトによって、ユーザデータエリアのＥＣＣブロックのアドレス“Ａ”（代替元アドレス）の場所に既に記録済み状態なので、論理的に上書きすべきデータが、スペアエリアのアドレス“１”（代替先アドレス）に代替的に記録されている。そして、このスペアエリアのアドレス“１”（代替先アドレス）の場所にディフェクトが発生したため、ディフェクト管理によって、スペアエリアのアドレス“２”（退避先アドレス）の場所に退避されたことを意味している。
【０２０６】
特に、第５パターンのロジカルオーバーライト及びディフェクト管理による代替記録動作において、変化前における、スペアエリアのアドレス“１”（代替先アドレス）の場所にはディフェクトが存在するため、データは記録されていないが、変化前より１世代だけ時間的に遡った代替元アドレス“Ａ”のＥＣＣブロックは、記録済みの場所として、ロジカルオーバーライトが行なわれているので再利用することは可能である。
【０２０７】
ここに、ＬＯＷフラグの変化の他の一例である第６パターンは、ＬＯＷフラグの値は、“１”から“１”へと変化しているパターンである。即ち、ディフェクトリストにおいて、ディフェクトリストエントリーが更新されるパターンである。また、変化後のＬＯＷフラグが“１”のため、ロジカルオーバーライトである。
【０２０８】
この第６パターンは、変化前には、ロジカルオーバーライトによって、ユーザデータエリアのＥＣＣブロックのアドレス“Ａ”（代替元アドレス）の場所に既に記録済み状態なので、論理的に上書きすべきデータが、スペアエリアのアドレス“１”（代替先アドレス）に代替的に記録されている。そして、ユーザデータエリアのＥＣＣブロックのアドレス“Ａ”（代替元アドレス）の場所に対して、再度、ロジカルオーバーライトによって、スペアエリアのアドレス“２”（代替先アドレス）の場所に代替的に記録される。
【０２０９】
特に、第６パターンのロジカルオーバーライトによる代替記録動作において、履歴又は世代を時間的に遡って代替元アドレスのＥＣＣブロックの再利用を行うことは、第２パターンと概ね同様である。より具体的には、変化前、即ち、１世代前のＥＣＣブロック（例えば、代替先アドレス“１”）及び、２世代前のＥＣＣブロック（例えば、代替元アドレス“Ａ”）を再利用することが可能である。
【０２１０】
（情報記録再生装置の記録動作−続き−）
次に再び、図１５及び図１６に戻って、第４から第８フェイズの説明を続ける。
【０２１１】
先ず、図１５の第４フェイズに示されるように、ユーザデータエリア１０８のアドレス“ｇ”で示されたＥＣＣブロックにおいて、ディフェクトが発見されると、第１パターンに該当したディフェクト管理が行なわれる。
【０２１２】
具体的には、通常のディフェクト管理によって、ユーザデータエリアのＥＣＣブロックのアドレス“ｇ”（退避元アドレス）の場所にはディフェクトが存在するので、この場所に記録すべきデータが、スペアエリアのアドレス“３”（退避先アドレス）に代替的に記録される。
【０２１３】
同時に、第２ディフェクトリスト１２２に、一つの退避元アドレス“ｇ”と、一つの退避先アドレス“３”との組、即ち、ディフェクトリストエントリーが、追加されると共に、ディフェクト管理であることを識別可能とするために、ＬＯＷフラグの値は“０”にセットされる。
【０２１４】
次に、図１５の第５フェイズに示されるように、ユーザデータエリア１０８のアドレス“ａ”から“ｃ”で示されたＥＣＣブロックにおいて、記録データの記録が行なわれるように、記録再生装置２００に対して指示される。
【０２１５】
具体的には、ユーザデータエリア１０８のアドレス“ａ”及び“ｂ”で示されたＥＣＣブロックは、既に、第２フェイズにおいて、記録済みの状態であるので、第６パターンに該当したロジカルオーバーライトが行なわれる。更に、ユーザデータエリア１０８のアドレス“ｃ”で示されたＥＣＣブロックは、既に、第４フェイズにおいて、記録済みの状態であるので、第２パターンに該当したロジカルオーバーライトが行なわれる。
【０２１６】
より具体的には、変化前には、ロジカルオーバーライトによって、ユーザデータエリアのＥＣＣブロックのアドレス“ａ”及び“ｂ”（代替元アドレス）の場所に既に記録済み状態なので、論理的に上書きすべきデータが、スペアエリアのアドレス“１”及び“２”（代替先アドレス）に代替的に記録されている。そして、ユーザデータエリアのＥＣＣブロックのアドレス“ａ”及び“ｂ”（代替元アドレス）の場所に対して、再度、ロジカルオーバーライトによって、スペアエリアのアドレス“４”及び“５”（代替先アドレス）の場所に代替的に記録される。更に、ユーザデータエリアのＥＣＣブロックのアドレス“ｃ”（代替元アドレス）の場所に既に記録済み状態なので、論理的に上書きすべきデータが、スペアエリアのアドレス“６”（代替先アドレス）に代替的に記録される。
【０２１７】
同時に、第３ディフェクトリスト１２２に、一つの代替元アドレス“ａ”と、一つの代替先アドレス“１”との組、即ち、ディフェクトリストエントリーの、代替先アドレスが“４”に更新されると共に、ロジカルオーバーライトであることを識別可能とするために、ＬＯＷフラグの値は“１”にセットされる。同様にして、一つの代替元アドレス“ｂ”と、一つの代替先アドレス“２”との組、即ち、ディフェクトリストエントリーの、代替先アドレスが“５”に更新されると共に、ロジカルオーバーライトであることを識別可能とするために、ＬＯＷフラグの値は“１”にセットされる。
【０２１８】
更に、同時に、一つの代替元アドレス“ｃ”と、一つの代替先アドレス“６”との組、即ち、ディフェクトリストエントリーが、追加されると共に、ロジカルオーバーライトであることを識別可能とするために、ＬＯＷフラグの値は“１”にセットされる。
【０２１９】
次に、図１５の第６フェイズに示されるように、スペアエリアのアドレス“５”で示されたＥＣＣブロックにおいて、ディフェクトが発見されると、第５パターンに該当したディフェクト管理が行なわれる。
【０２２０】
具体的には、変化前には、ロジカルオーバーライトによって、ユーザデータエリアのＥＣＣブロックのアドレス“ｂ”（代替元アドレス）の場所に既に記録済み状態なので、論理的に上書きすべきデータが、スペアエリアのアドレス“５”（代替先アドレス）に代替的に記録されている。そして、このスペアエリアのアドレス“５”（代替先アドレス）の場所にディフェクトが発生したため、ディフェクト管理によって、スペアエリアのアドレス“７”（退避先アドレス）の場所に退避されたことを意味している。
【０２２１】
同時に、第４ディフェクトリスト１２２に、一つの代替元アドレス“ｂ”と、一つの代替先アドレス“５”との組、即ち、ディフェクトリストエントリーの、退避先アドレスが“７”に更新されると共に、ディフェクト管理であることを識別可能とするために、ＬＯＷフラグの値は“０”にセットされる。
【０２２２】
次に、図１６の第７フェイズに示されるように、ユーザデータエリアのアドレス“ｇ”から“ｐ”で示されたＥＣＣブロックにおいて、記録データの記録が行なわれるように、記録再生装置２００に対して指示される。
【０２２３】
具体的にはユーザデータエリアのアドレス“ｇ”で示されたＥＣＣブロックは、既に、第４フェイズにおいて、ディフェクト管理が行なわれているので、第４パターンに該当したロジカルオーバーライトが行なわれる。更に、アドレス“ｈ”で示されたＥＣＣブロックは、既に、第３フェイズにおいて、記録済みの状態であるので、第２パターンに該当したロジカルオーバーライトが行なわれる。尚、ユーザデータエリアのアドレス“ｉ”から“ｐ”で示されたＥＣＣブロックにおいては、未記録状態の領域に対して通常の記録動作が行なわれる。
【０２２４】
より具体的には、変化前には、ディフェクト管理によって、ユーザデータエリアのＥＣＣブロックのアドレス“ｇ”（退避元アドレス）の場所にはディフェクトが存在するので、この場所に記録すべきデータが、スペアエリアのアドレス“３”（退避先アドレス）に代替的に記録されている。そして、ユーザデータエリアのＥＣＣブロックのアドレス“ｇ”（代替元アドレス）の場所にはディフェクトが存在するが、記録済みの状態であるとみなして、ロジカルオーバーライトによって、スペアエリアのアドレス“８”（代替先アドレス）の場所に代替的に記録される。更にユーザデータエリアのＥＣＣブロックのアドレス“ｈ”（代替元アドレス）の場所に既に記録済み状態なので、論理的に上書きすべきデータが、スペアエリアのアドレス“９”（代替先アドレス）に代替的に記録される。
【０２２５】
同時に、第５ディフェクトリスト１２２に、一つの退避元アドレス“ｇ”と、一つの退避先アドレス“３”との組、即ち、ディフェクトリストエントリーの、代替先アドレスが“８”に更新されると共に、ロジカルオーバーライトであることを識別可能とするために、ＬＯＷフラグの値は“０”から“１”にセットされる。更に、同時に、一つの代替元アドレス“ｈ”と、一つの代替先アドレス“９”との組、即ち、ディフェクトリストエントリーが、追加されると共に、ロジカルオーバーライトであることを識別可能とするために、ＬＯＷフラグの値は“１”にセットされる。
【０２２６】
次に、図１６の第８フェイズに示されるように、ユーザデータエリアのアドレス“ｍ”で示されたＥＣＣブロックにおいて、ディフェクトが発見されると、第１パターンに該当したディフェクト管理が行なわれる。
【０２２７】
具体的には、通常のディフェクト管理によって、ユーザデータエリアのＥＣＣブロックのアドレス“ｍ”（退避元アドレス）の場所にはディフェクトが存在するので、この場所に記録すべきデータが、スペアエリアのアドレス“１０”（退避先アドレス）に代替的に記録される。
【０２２８】
同時に、第６ディフェクトリスト１２２に、一つの退避元アドレス“ｍ”と、一つの退避先アドレス“１０”との組、即ち、ディフェクトリストエントリーが、追加されると共に、ディフェクト管理であることを識別可能とするために、ＬＯＷフラグの値は“０”にセットされる。
【０２２９】
（時間を遡った場合のディフェクトリストの変化についての考察）
次に、図１８に加えて前述した図１４から図１６を適宜参照して、本発明の情報記録再生装置に係る記録再生装置２００によって、ディフェクト管理とロジカルオーバーライトとを同時に行った記録動作におけるディフェクトリストの変化を、時間を遡って考察し、その変化から推定できることについて説明する。尚、図１８の各フェイズにおけるディフェクトリスト１２２のテーブルの行及び列の形式については、前述した図１４から図１６におけるディフェクトリストと同様である。ここに、図１８は、本発明の情報記録再生装置に係る記録再生装置２００によって、ディフェクト管理とロジカルオーバーライトとを同時に行った記録動作の前述した第１から第８フェイズにおけるディフェクトリストの時系列に沿った変化を示した図式的な概念図である。
【０２３０】
先ず、ユーザデータエリア１０８のアドレス“ａ”で示されたＥＣＣブロックに着目する。
【０２３１】
今現在の状態を示す第８フェイズの第６ディフェクトリストより、
アドレス“ａ”に記録されるべきデータは、今現在、スペアエリアのアドレス“４”にロジカルオーバーライトによって代替記録されていることが分かる。
【０２３２】
そして時間を遡って、アドレス“ａ”におけるディフェクトリストエントリーが、第４フェイズから第５フェイズへ移行する第１ポイントＰ１について考察する。この第１ポイントＰ１における第２から第３ディフェクトリストの変化は、前述の図１５及び図１７で説明した第６パターンに該当する。よって、アドレス“ａ”に記録されるべきデータは、１世代前においては、スペアエリアのアドレス“１”にロジカルオーバーライトによって代替記録されていたことが分かる。
【０２３３】
続いて、更に時間を遡って、アドレス“ａ”におけるディフェクトリストエントリーが、第２フェイズから第３フェイズへ移行する第２ポイントＰ２について考察する。この第２ポイントＰ２における第１ディフェクトリストの作成は、前述の図１４及び図１７で説明した第２パターンに該当する。よって、アドレス“ａ”に記録されるべきデータは、２世代前においては、ユーザデータエリアのアドレス“ａ”自身に記録されていたことが分かる。
【０２３４】
従って、ユーザデータエリア１０８のアドレス“ａ”で示されたＥＣＣブロックに記録されるべきデータは時間を遡ると、今現在はアドレス“４”、１世代前はアドレス“１”、２世代前はアドレス“ａ”自身に記録されていることが分かる。
【０２３５】
次に、ユーザデータエリア１０８のアドレス“ｂ”で示されたＥＣＣブロックに着目する。
【０２３６】
今現在の状態を示す第８フェイズの第６ディフェクトリストより、アドレス“ｂ”に記録されるべきデータは、今現在、スペアエリアのアドレス“７”にディフェクト管理によって代替記録されていることが分かる。
【０２３７】
そして、時間を遡って、アドレス“ｂ”におけるディフェクトリストエントリーが、第５フェイズから第６フェイズへ移行する第３ポイントＰ３について考察する。この第３ポイントＰ３における第３から第４ディフェクトリストの変化は、前述の図１５及び図１７で説明した第５パターンに該当する。よって、アドレス“ｂ”に記録されるべきデータは、１世代前においては、ディフェクト管理によってディフェクトが発見されたスペアエリアのアドレス“５”に記録されていないことが分かる。
【０２３８】
続いて、更に時間を遡って、アドレス“ｂ”におけるディフェクトリストエントリーが、第４フェイズから第５フェイズへ移行する第４ポイントＰ４について考察する。この第４ポイントＰ４における第２から第３ディフェクトリストの変化は、前述の図１５及び図１７で説明した第６パターンに該当する。よって、アドレス“ｂ”に記録されるべきデータは、２世代前においては、スペアエリアのアドレス“２”にロジカルオーバーライトによって代替記録されていたことが分かる。
【０２３９】
続いて、更に時間を遡って、アドレス“ｂ”におけるディフェクトリストエントリーが、第２フェイズから第３フェイズへ移行する第５ポイントＰ５について考察する。この第５ポイントＰ５における第１ディフェクトリストの作成は、前述の図１４及び図１７で説明した第２パターンに該当する。よって、アドレス“ｂ”に記録されるべきデータは、３世代前においては、ユーザデータエリアのアドレス“ｂ”自身に記録されていたことが分かる。
【０２４０】
従って、ユーザデータエリア１０８のアドレス“ｂ”で示されたＥＣＣブロックに記録されるべきデータは時間を遡ると、今現在はアドレス“７”、２世代前はアドレス“２”、３世代前はアドレス“ｂ”自身に記録されていることが分かる。尚、１世代前のアドレス“５”にはディフェクトが発見されたため記録されていないことが分かる。
【０２４１】
次に、ユーザデータエリア１０８のアドレス“ｇ”で示されたＥＣＣブロックに着目する。
【０２４２】
今現在の状態を示す第８フェイズの第６ディフェクトリストより、アドレス“ｇ”に記録されるべきデータは、今現在、スペアエリアのアドレス“８”にロジカルオーバーライトによって代替記録されていることが分かる。
【０２４３】
そして、時間を遡って、アドレス“ｇ”におけるディフェクトリストエントリーが、第６フェイズから第７フェイズへ移行する第６ポイントＰ６について考察する。この第６ポイントＰ６における第４から第５ディフェクトリストの変化は、前述の図１６及び図１７で説明した第４パターンに該当する。よって、アドレス“ｇ”に記録されるべきデータは、１世代前においては、スペアエリアのアドレス“３”にディフェクト管理によって代替記録されていたことが分かる。
【０２４４】
続いて、更に時間を遡って、アドレス“ｇ”におけるディフェクトリストエントリーが、第３フェイズから第４フェイズへ移行する第７ポイントＰ７について考察する。この第７ポイントＰ７における第２ディフェクトリストの作成は、前述の図１５及び図１７で説明した第１パターンに該当する。よって、アドレス“ｇ”に記録されるべきデータは、２世代前においては、ディフェクト管理によってディフェクトが発見されたユーザデータエリアのアドレス“ｇ”自身に記録されていないことが分かる。
【０２４５】
従って、ユーザデータエリア１０８のアドレス“ｇ”で示されたＥＣＣブロックに記録されるべきデータは時間を遡ると、今現在はアドレス“８”、１世代前はアドレス“３”に記録されていることが分かる。尚、２世代前のアドレス“ｇ”自身にはディフェクトが発見されたため記録されていないことが分かる。
【０２４６】
以上のように、ディフェクトリストにおけるディフェクトリストエントリーの代替元アドレス（退避元アドレス）及び代替先アドレス（退避先アドレス）並びにＬＯＷフラグの変化を考察すれば、所望のアドレスで示されたＥＣＣブロックに記録されるべきデータが記録されているアドレスを、時間を遡って、認識することが可能となる。よって、過去のデータを再度再生することが可能となる。
【０２４７】
（情報記録再生装置の作用効果の検討）
次に、図１９を参照して、本発明の情報記録再生装置に係る記録再生装置２００によって、ディフェクト管理とロジカルオーバーライトとを同時に行った記録動作の作用効果について検討を加える。ここに、図１９は、比較例に係る記録再生装置の動作概要を示した図式的概念図（図１９（ａ））、及び、本発明の情報記録再生装置に係る記録再生装置の動作概要を示した図式的概念図（図１９（ｂ））である。
【０２４８】
図１９（ａ）に示されるように、比較例に係る記録再生装置の動作においては、ディフェクトリストを参照しても、ロジカルオーバーライトによる代替記録動作なのか、或いは、ディフェクト管理による代替記録動作なのかを識別することができない。よって、時間を遡って、ロジカルオーバーライトによる代替元アドレスの場所に記録された記録データを再度再生することはできない。
【０２４９】
これに対して、本発明の情報記録再生装置に係る記録再生装置の動作においては、前述の図１から図１８における説明に加えて、図１９（ｂ）に示されるように、ディフェクトリストにおいて、ロジカルオーバーライトによる代替記録動作なのか、或いは、ディフェクト管理による代替記録動作なのかを識別するために、識別情報として、例えば１ビットのデータ量のＬＯＷフラグが格納されているので、両方の代替記録動作を識別することが可能である。よって、ディフェクトリストを参照することで、時間を遡って、ロジカルオーバーライトによる代替元アドレスの場所に記録された記録データを再度再生することが可能となる。即ち、時間を遡って、過去のデータを再度再生することが可能となる。
【０２５０】
以上より、本実施例の記録再生装置２００によれば、光ディスク１００をファイナライズする前においては、ディフェクト管理情報１２０を光ディスク１００の一時的ディフェクト管理エリア１０４又は１０５に記録し、光ディスク１００をファイナライズするときには、ディフェクト管理情報１２０を光ディスク１００の確定的ディフェクト管理エリア１０６又は１０７に記録する。又はイナライズされていない光ディスク１００に対しては、ディフェクト管理情報１２０を光ディスク１００の一時的ディフェクト管理エリア１０４又は１０５から読み取り、ファイナライズ済みの光ディスク１００に対しては、ディフェクト管理情報１２０を光ディスク１００の確定的ディフェクト管理エリア１０６又は１０７から読み取る。これにより、ファイナライズ前の光ディスク１００に対しても、ファイナライズ済みの光ディスク１００に対しても、適切なディフェクト管理を行いながら、記録データの記録又は再生を実現することができる。
【０２５１】
また、本実施例の記録再生装置２００によれば、ファイナライズ処理の際に、ディフェクト管理情報１２０を光ディスク１００の確定的ディフェクト管理エリア１０６又は１０７に記録する構成としたから、追記型光ディスク１００と一般の書換型光ディスクとの間の互換性を確立することができる。
【０２５２】
尚、上述した実施例では、本発明の情報記録媒体を一層の光ディスクに適用した場合を例に挙げたが、本発明はこれに限らず、２層以上の光ディスクにも適用することができる。図２０は本発明の情報記録媒体を２層光ディスクに適用した場合の例を示している。図２０中の２層光ディスク１５０の第１層（図２０中の上段）には、光ディスク１００と同様に、リードインエリア１５１、データゾーン１５２、リードアウトエリア１５３が設けられている。更に、リードインエリア１５１内及びリードアウトエリア１５３内には夫々確定的ディフェクト管理エリア１５６及び１５７が設けられている。更に、また、データゾーン１５２内にはユーザデータエリア１５８を中心にして、スペアエリア１５９及び１６０、並びに、一時的ディフェクト管理エリア１５４及び１５５が設けられている。第２層（図２０中の下段）にも、光ディスク１００と同様に、リードインエリア１７１、データゾーン１７２、リードアウトエリア１７３が設けられている。更に、リードインエリア１７１内及びリードアウトエリア１７３内には夫々確定的ディフェクト管理エリア１７６及び１７７が設けられている。更に、また、データゾーン１７２内にはユーザデータエリア１７８を中心にして、スペアエリア１７９及び１８０、並びに、一時的ディフェクト管理エリア１７４及び１７５が設けられている。
【０２５３】
尚、本発明の実施例の説明に用いた図面は、本発明の記録媒体、記録装置又は再生装置の構成要素等を、その技術思想を説明する限りにおいて具体化したものであり、各構成要素等の形状、大きさ、位置、接続関係などは、これに限定されるものではない。
【０２５４】
加えて、上述の実施例では、記録媒体の一例として光ディスク１００並びに再生記録装置の一例として光ディスク１００に係るレコーダ又はプレーヤについて説明したが、本発明は、光ディスク並びにそのレコーダ又はプレーヤに限られるものではなく、他の高密度記録或いは高転送レート対応の各種情報記録媒体並びにそのレコーダ又はプレーヤにも適用可能である。
【０２５５】
また、本発明は、請求の範囲及び明細書全体から読み取るこのできる発明の要旨又は思想に反しない範囲で適宜変更可能であり、そのような変更を伴う情報記録媒体、記録装置、再生装置、記録方法、再生方法並びにこれらの機能を実現するコンピュータプログラムもまた本発明の技術思想に含まれる。
【図面の簡単な説明】
【０２５６】
【図１】本発明の情報記録媒体の実施例を示す説明図である。
【図２】実施例におけるディフェクト管理情報の内容を示す説明図である。
【図３】実施例におけるディフェクトリストの一例を示す説明図である。
【図４】実施例における一時的ディフェクト管理エリアの記録内容の一例を示す説明図である。
【図５】実施例における確定的ディフェクト管理エリアの記録内容の一例を示す説明図である。
【図６】実施例におけるディフェクトリストの一具体例（図６（ａ））と他の具体例（図６（ｂ））を示す説明図である。
【図７】本発明の記録装置及び再生装置の実施例である記録再生装置を示すブロック図である。
【図８】実施例の記録再生装置のディスクドライブを示すブロック図である。
【図９】実施例の記録再生装置のバックエンドを示すブロック図である。
【図１０】実施例の記録再生装置における初期設定動作を示すフローチャートである。
【図１１】実施例の記録再生装置における記録動作等を示すフローチャートである。
【図１２】実施例の記録再生装置におけるファイナライズ処理を示すフローチャートである。
【図１３】実施例の記録再生装置における再生動作を示すフローチャートである。
【図１４】本発明の情報記録再生装置に係る記録再生装置２００によって、ディフェクト管理とロジカルオーバーライトとを同時に行った記録動作の第１から第３フェイズにおけるＥＣＣブロック単位の記録領域及びディフェクトリストを示した図式的なデータ構造の概念図である。
【図１５】本発明の情報記録再生装置に係る記録再生装置２００によって、ディフェクト管理とロジカルオーバーライトとを同時に行った記録動作の第４から第６フェイズにおけるＥＣＣブロック単位の記録領域及びディフェクトリストの変化を示した図式的なデータ構造の概念図である。
【図１６】本発明の情報記録再生装置に係る記録再生装置２００によって、ディフェクト管理とロジカルオーバーライトとを同時に行った記録動作の第７及び第８フェイズにおけるＥＣＣブロック単位の記録領域及びディフェクトリストの変化を示した図式的なデータ構造の概念図である。
【図１７】本発明の情報記録再生装置に係る記録再生装置２００によって、ディフェクト管理とロジカルオーバーライトとを同時に行った記録動作において、ディフェクトリストにおけるディフェクトリストエントリー及びＬＯＷフラグの変化をパターン別に示した図式的な概念図である。
【図１８】本発明の情報記録再生装置に係る記録再生装置２００によって、ディフェクト管理とロジカルオーバーライトとを同時に行った記録動作の前述した第１から第８フェイズにおけるディフェクトリストの時系列に沿った変化を示した図式的な概念図である。
【図１９】比較例に係る記録再生装置の動作概要を示した図式的概念図（図１９（ａ））、及び、本発明の情報記録再生装置に係る記録再生装置の動作概要を示した図式的概念図（図１９（ｂ））である。
【図２０】本発明の情報記録媒体の他の実施例を示す説明図である。
【符号の説明】
【０２５７】
１００…光ディスク
１０１…リードインエリア
１０３…リードアウトエリア
１０４、１０５…一時的ディフェクト管理エリア
１０６、１０７…確定的ディフェクト管理エリア
１０８…ユーザデータエリア
１０９、１１０…スペアエリア
１２０…ディフェクト管理情報
１２２…ディフェクトリスト
２００…記録再生装置
３６０…ディフェクト管理情報作成部
４７７…ディフェクト管理部
５００…ロジカルオーバーライトフラグ（ＬＯＷフラグ）
【図１】
2005251242.tif 000003
【図２】
2005251242.tif 000004
【図３】
2005251242.tif 000005
【図４】
2005251242.tif 000006
【図５】
2005251242.tif 000007
【図６】
2005251242.tif 000008
【図７】
2005251242.tif 000009
【図８】
2005251242.tif 000010
【図９】
2005251242.tif 000011
【図１０】
2005251242.tif 000012
【図１１】
2005251242.tif 000013
【図１２】
2005251242.tif 000014
【図１３】
2005251242.tif 000015
【図１４】
2005251242.tif 000016
【図１５】
2005251242.tif 000017
【図１６】
2005251242.tif 000018
【図１７】
2005251242.tif 000019
【図１８】
2005251242.tif 000020
【図１９】
2005251242.tif 000021
【図２０】
2005251242.tif 000022